(57)【要約】【課題】遊技領域を形成する遊技盤を前面枠に対して着脱可能に配設し、該遊技盤に形成された表示領域において遊技に関わる表示ゲームを表示するようにした遊技機において、排出装置等で発生した振動が表示ユニットに伝わることを防止して、当該振動が画像表示に影響することを防止する。【解決手段】前面枠１２０の裏面側に、遊技媒体を排出するための排出装置２０１を設けた裏機構枠１６０を配設し、裏機構枠は、表示ゲームを表示するための表示ユニット１７３を、その表示面１７１を遊技盤１の表示領域１２に臨ませた状態で配設し、裏機構枠から表示ユニットに伝わる振動を吸収する振動吸収手段３００を備える。これにより、排出装置で発生した振動が表示ユニットに伝わることを防止でき、この振動が画像表示に影響することを防止できる。【選択図】図１
2007082671.tif 000002
【特許請求の範囲】
【請求項１】
遊技領域を形成する遊技盤を前面枠に対して着脱可能に配設し、該遊技盤に形成された表示領域において遊技に関わる表示ゲームを表示するようにした遊技機において、
前記前面枠の裏面側に、遊技媒体を排出するための排出装置を設けた裏機構枠を配設し、
前記裏機構枠は、前記表示ゲームを表示するための表示ユニットを、その表示面を前記遊技盤の表示領域に臨ませた状態で配設し、
前記裏機構枠から前記表示ユニットに伝わる振動を吸収する振動吸収手段を備えたことを特徴とする遊技機。
【請求項２】
前記裏機構枠は、後方側に膨出状に形成されて前記表示ユニットを収納するための前面開口状の収納部を形成し、
前記収納部には、前記遊技盤の後方突出量に応じて前記表示ユニットが前後動可能なスライド部を形成し、
前記スライド部に当接して当該表示ユニットをスライドさせるための被スライド部に前記振動吸収手段を設けたことを特徴とする請求項１に記載の遊技機。
【請求項３】
前記被スライド部は、球状部材を回転可能に設けて、前記スライド部との接触を該球状部材により行うように構成し、
前記球状部材を振動吸収手段で支持することで振動を吸収するようにしたことを特徴とする請求項２に記載の遊技機。
【請求項４】
前記表示ユニットを収納する内部収納空間を有する表示枠ユニットを設けて、該表示枠ユニットを介して該表示ユニットを前記裏機構枠に配設するように構成し、
前記表示ユニットが前記内部収納空間内で当接する部位に前記振動吸収手段を設けたことを特徴とする請求項１から請求項３の何れか一項に記載の遊技機。
【請求項５】
前記裏機構枠の上部には、島設備から供給される遊技球を貯留する貯留タンクが配設され、
前記排出装置は、前記貯留タンクの側部に設けられて当該貯留タンクと一体的に構成されていることを特徴とする請求項１から請求項４の何れか一項に記載の遊技機。
【発明の詳細な説明】
【技術分野】
【０００１】
本発明は、遊技領域を形成する遊技盤を前面枠に対して着脱可能に配設し、該遊技盤に形成された表示領域において遊技に関わる表示ゲームを表示するようにした遊技機に関する。
【背景技術】
【０００２】
従来、遊技領域を形成する遊技盤を前面枠（本体枠）に着脱自在に装着するようにした遊技機が知られている。遊技盤には複数の識別情報を変動表示可能な変動表示装置（表示ユニット）が備えられ各機種固有の画像を表示し、また、遊技盤には各機種固有の装飾部材やセル板が設けられている。最近では、前記変動表示装置として液晶表示装置等を設けることが増えている。
そして、遊技機の機種を変更する際には、遊技機全体を交換せずに、遊技盤のみを交換することも可能であるが、従来の遊技機の場合には、遊技盤に変動表示装置が取り付けられていることから、遊技盤の交換の際には比較的高価な変動表示装置も交換することとなっている。
また、変動表示装置を前面枠の裏面に配設して遊技盤と変動表示装置（液晶表示器）を別構成にすることで、遊技盤を交換する際でも、変動表示装置をそのまま前面枠側に残せるようにした遊技機も考えられている（例えば、特許文献１参照）。
【特許文献１】特開２００３−３２００９４号公報
【発明の開示】
【発明が解決しようとする課題】
【０００３】
しかしながら、前面枠の裏面側には、島設備から供給される遊技球を一時的に貯留する貯留タンクや、該貯留タンクからの遊技球を前面枠の一側方に導出する導出樋、導出樋からの遊技球を下方に流下させる遊技球流路、遊技球流路の途中に設けられる排出装置、等が設けられていることから、これらの各機構体とともに変動表示装置を前面枠の裏面に配設した場合に、遊技球の衝突や流下により発生する振動や、排出装置の作動により発生する振動等が、変動表示装置に伝達されて、画像表示に支障が出てしまうといった課題が生じる。すなわち、従来は、変動表示装置が前面枠には直接取り付けられていなかったことから排出装置等からの振動は直接変動表示装置に伝わらなかったし、かりに遊技盤が振動した場合でも、遊技盤と一緒に変動表示装置も振動することから、表示用窓部内での画像表示にはそれほど支承が生じない（即ち表示用窓部と一緒に変動表示装置も振動するから）ものであったが、変動表示装置を前面枠側に配設することにより、遊技球の排出に関わる機構体からの振動の影響が大きくなるといった課題が生じる。
【０００４】
本発明の課題は、遊技領域を形成する遊技盤を前面枠に対して着脱可能に配設し、該遊技盤に形成された表示領域において遊技に関わる表示ゲームを表示するようにした遊技機において、排出装置等で発生した振動が表示ユニットに伝わることを防止して、当該振動が画像表示に影響することを防止することである。
【課題を解決するための手段】
【０００５】
以上の課題を解決するため、請求項１に記載の発明は、遊技領域を形成する遊技盤を前面枠に対して着脱可能に配設し、該遊技盤に形成された表示領域において遊技に関わる表示ゲームを表示するようにした遊技機において、
前記前面枠の裏面側に、遊技媒体を排出するための排出装置を設けた裏機構枠を配設し、
前記裏機構枠は、前記表示ゲームを表示するための表示ユニットを、その表示面を前記遊技盤の表示領域に臨ませた状態で配設し、
前記裏機構枠から前記表示ユニットに伝わる振動を吸収する振動吸収手段を備えたことを特徴とする。
【０００６】
ここで、遊技盤は、木製のものでも合成樹脂製のものでも良い。木製の場合には表示領域は開口部となり、合成樹脂製の場合には表示領域は透明若しくは半透明の非開口の部位となる。また、遊技盤を合成樹脂製にした場合、表示領域は、遊技盤全面でも良いし、一部の面でも良い。
また、振動吸収手段は、表示ユニットに設けてもよいし、裏機構枠に設けてもよい。また、表示ユニットと裏機構枠の双方に設けてもよい。
振動吸収手段の構成部材の材料としては、バネ、ゴム、軟性の合成樹脂、液体などを用いることができる。
【０００７】
請求項１に記載の発明によれば、前面枠の裏面側に、遊技媒体を排出するための排出装置を設けた裏機構枠を配設し、裏機構枠は、表示ゲームを表示するための表示ユニットを、その表示面を遊技盤の表示領域に臨ませた状態で配設したので、表示ユニットが遊技盤ではなく前面枠側に設けられることとなり、遊技盤を交換する場合でも、表示ユニットは交換する必要がないので、表示ユニットを新たな遊技盤でも使用できるといった効果を奏する。また、遊技機の入れ替え時に遊技機全体を交換する場合でも、表示ユニットは遊技盤と別構成であるので、表示ユニットを簡単に取り外せることから、表示ユニットを再利用する際にも効果的である。
【０００８】
また、裏機構枠から表示ユニットに伝わる振動を吸収する振動吸収手段を備えたので、排出装置で発生した振動が表示ユニットに伝わることを防止でき、この振動が画像表示に影響することを防止できる。また、遊技機の搬送時にも、表示ユニットに伝わる振動を防止でき、搬送時に表示ユニットが故障するのを防止できる。
【０００９】
請求項２に記載の発明は、請求項１に記載の遊技機であって、前記裏機構枠は、後方側に膨出状に形成されて前記表示ユニットを収納するための前面開口状の収納部を形成し、
前記収納部には、前記遊技盤の後方突出量に応じて前記表示ユニットが前後動可能なスライド部を形成し、
前記スライド部に当接して当該表示ユニットをスライドさせるための被スライド部に前記振動吸収手段を設けたことを特徴とする。
【００１０】
ここで、「遊技盤の後方突出量」とは、遊技盤の本体の後方突出量のほか、遊技盤の本体に取り付けられるセンターケース等の後方突出量を含む。
また、被スライド部は、表示ユニット自体に形成されていてもよいし、表示ユニットを収納する表示枠ユニットに形成されていてもよい。
【００１１】
請求項２に記載の発明によれば、裏機構枠は、後方側に膨出状に形成されて表示ユニットを収納するための前面開口状の収納部を形成し、収納部には、遊技盤の後方突出量に応じて表示ユニットが前後動可能なスライド部を形成したので、交換する遊技盤の種類により、遊技盤の後方突出量は様々に変化することとなるが、その突出量に応じて表示ユニットが前後動することとなるため、遊技盤の交換時に何ら問題なく遊技盤を装着できるし、遊技盤の後方適正位置に表示ユニットを配置することができる。
【００１２】
また、表示ユニットを前後動可能にする関係上、表示ユニットを強固に固定できないことから、振動の影響を受ける可能性が高くなるが、スライド部に当接して当該表示ユニットをスライドさせるための被スライド部に振動吸収手段を設けたので、振動が表示ユニットに伝わることを防止でき、この振動が画像表示に影響することを防止できる。
【００１３】
請求項３に記載の発明は、請求項２に記載の遊技機であって、前記被スライド部は、球状部材を回転可能に設けて、前記スライド部との接触を該球状部材により行うように構成し、
前記球状部材を振動吸収手段で支持することで振動を吸収するようにしたことを特徴とする。
【００１４】
請求項３に記載の発明によれば、被スライド部は、球状部材を回転可能に設けて、スライド部との接触を該球状部材により行うように構成し、球状部材を振動吸収手段で支持することで振動を吸収するようにしたので、球状部材によりスムーズに表示ユニットをスライドさせることがでる上、振動も効率よく吸収することができる。
【００１５】
請求項４に記載の発明は、請求項１から請求項３の何れか一項に記載の遊技機であって、前記表示ユニットを収納する内部収納空間を有する表示枠ユニットを設けて、該表示枠ユニットを介して該表示ユニットを前記裏機構枠に配設するように構成し、
前記表示ユニットが前記内部収納空間内で当接する部位に前記振動吸収手段を設けたことを特徴とする。
【００１６】
請求項４に記載の発明によれば、表示ユニットを収納する内部収納空間を有する表示枠ユニットを設けて、該表示枠ユニットを介して該表示ユニットを裏機構枠に配設するように構成し、表示ユニットが内部収納空間内で当接する部位に振動吸収手段を設けたので、表示枠ユニットを設けることにより、表示ユニットを確実に裏機構枠に配設することができる。また、遊技盤の表示領域に対応して、表示ユニットの左右或いは上下の位置調整等が可能な構成とすることもでき、表示ユニットが固定されていない場合でも振動が伝達することを防止できる。
【００１７】
請求項５に記載の発明は、請求項１から請求項４の何れか一項に記載の遊技機であって、前記裏機構枠の上部には、島設備から供給される遊技球を貯留する貯留タンクが配設され、
前記排出装置は、前記貯留タンクの側部に設けられて当該貯留タンクと一体的に構成されていることを特徴とする。
【００１８】
請求項５に記載の発明によれば、裏機構枠の上部には、島設備から供給される遊技球を貯留する貯留タンクが配設され、排出装置は、貯留タンクの側部に設けられて当該貯留タンクと一体的に構成されているので、貯留タンク、排出装置とともに表示ユニットを前面枠の裏面に効率よく配設することができ、表示ユニットが大型化した場合でも前面枠裏面の配置スペース的な問題を解消することができる。
特に、排出装置を貯留タンクに一体化することで、排出装置（従来は一側部に配設していたもの）を裏機構枠の上部に配設することが可能となり、裏機構枠の一側部には遊技球流路分の幅のみ確保できればよいので、その分表示ユニットの配置領域を確保することができる。
【発明の効果】
【００１９】
本発明によれば、前面枠の裏面側に、遊技媒体を排出するための排出装置を設けた裏機構枠を配設し、裏機構枠は、表示ゲームを表示するための表示ユニットを、その表示面を遊技盤の表示領域に臨ませた状態で配設したので、表示ユニットが遊技盤ではなく前面枠側に設けられることとなり、遊技盤を交換する場合でも、表示ユニットは交換する必要がないので、表示ユニットを新たな遊技盤でも使用できる。また、遊技機の入れ替え時に遊技機全体を交換する場合でも、表示ユニットは遊技盤と別構成であるので、表示ユニットを簡単に取り外せることから、表示ユニットを再利用できる。
また、裏機構枠から表示ユニットに伝わる振動を吸収する振動吸収手段を備えたので、排出装置で発生した振動が表示ユニットに伝わることを防止でき、この振動が画像表示に影響することを防止できる。また、遊技機の搬送時にも、表示ユニットに伝わる振動を防止でき、搬送時に表示ユニットが故障するのを防止できる。
【発明を実施するための最良の形態】
【００２０】
以下、この発明の実施形態について図面を参照して説明する。
ここでは、本発明にかかる遊技機の適例としてのパチンコ遊技機について図１から図１４を用いて説明を行う。
【００２１】
図１に示すように、本実施形態の遊技機１００は、矩形枠状に構成された機枠１１０を備え、この機枠１１０の一側方には、該機枠１１０に対し回動可能に矩形枠状の前面枠１２０が軸支されている。なお、図１は機枠１１０を有する遊技機１００全体の背面側を示し、図２は機枠１１０から取り外された前面枠１２０を示す。
また、前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、前面枠本体１３０の裏面側に回動可能に軸支され、表示枠ユニット１７０を備える裏機構枠１６０とを有する。
【００２２】
前面枠本体１３０は、矩形枠状の機枠１１０の前面側をちょうど覆うような概略矩形板状に構成されるとともに、その中央から上端部に渡る部分に後述する遊技盤１を嵌め込んで収容するための方形状の開口部が形成されている。そして、前面枠本体１３０に収容された遊技盤１の前面が前面枠本体１３０の開口部から前側に臨むようになっている。すなわち遊技盤１は、前面枠本体１３０に嵌め込まれることで前面枠１２０に取り付けられている。
【００２３】
また、前面枠本体１３０の遊技盤１が嵌め込まれた開口部、すなわち、前面枠本体１３０の中央より少し下側から上端部にわたる部分には、前面枠本体１３０の前側を覆うように前記クリア部材保持枠１４０が配置されており、遊技盤１の前面と前記クリア部材保持枠１４０に嵌め込まれたクリア部材としてのガラス板との間で、遊技盤１の前面に設けられたガイドレール（図示略）に囲まれた部分が、遊技球が発射されて流下する遊技領域（図示略）とされている。
【００２４】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の遊技領域の前側を開放可能となっている。
クリア部材保持枠１４０には、前面枠本体１３０の開口部をほぼ閉塞するように、該開口部に嵌め込まれた遊技盤１との間に遊技球が流下可能な遊技領域となる間隔を開けて二重のガラス板が固定されている。そして、クリア部材保持枠１４０において、遊技機１００の前側からガラス板を介して遊技盤１の前面側の少なくとも遊技領域の部分が視認可能となっている。また、クリア部材保持枠１４０の前面であって、ガラス板が固定されて遊技領域を視認可能とする部分の周囲には、枠装飾装置５７（図９に図示）としてのランプやＬＥＤなどが設けられている。
【００２５】
また、前面枠本体１３０の前面側のクリア部材保持枠１４０の下側には、発射操作ユニット１５０が取り付けられている。
発射操作ユニット１５０は、左右側部のうちの一側部となる左側部を前面枠本体１３０に軸着されて、左右方向に回動して開閉自在な開閉パネルとその下の下部パネルとからなる。開閉パネルは、排出された遊技球を貯留するとともに、遊技球を発射する発射装置６０（図９に図示）に遊技球を送る上皿を有している。この上皿の周囲には、遊技者が操作可能な演出用ボタン５９（図９に図示）が設けられている。また、開閉パネルの下側の下部パネルには、上皿に収容しきれない遊技球を収容する下皿及び灰皿と、遊技領域に向けての遊技球の発射操作を行うとともに、該遊技領域に遊技球を発射する際の発射勢を調節するための操作ハンドル１５１、音声を出力するスピーカ５８（図９に図示）などが設けられている。
【００２６】
また、前面枠本体１３０の裏面側であって、遊技盤１が嵌め込まれた開口部の上端部から中央より少し下側にわたる部分には、前面枠本体１３０の裏面側を覆うように裏機構枠１６０が配置されている。
図２に示すように、裏機構枠１６０の前面の左側の端部は、前面枠本体１３０の裏面であって遊技機１００の裏面側から見て右側の側部に回動可能に軸支されて扉状に開閉自在とされ、裏機構枠１６０を開くことにより、遊技盤１の裏面側の上部を開放可能となっている。
【００２７】
その他、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００２８】
図２に示すように、前面枠本体１３０の開口部に嵌め込まれる遊技盤１は、木製の遊技盤本体１０の図示しない前面に、略円形に配されたガイドレールで囲まれた遊技領域を有し、この遊技領域内に遊技球（打球；遊技媒体）を発射して遊技を行うようになっている。
遊技領域内には、図示しないが、普図始動ゲート、この普図始動ゲートを遊技球が通過して普図変動表示ゲームが未処理となっている未処理回数を表示する普図始動記憶表示器、普通図柄の変動表示ゲームを表示する普図変動表示器が設けられている。また、普通変動入賞装置と、この普通変動入賞装置に遊技球が入賞して特図変動表示ゲームが未処理となっている未処理回数を点灯表示する特図始動記憶表示器、特別図柄（特図、識別情報）の変動表示ゲームの表示領域となる表示用窓部１２を形成するセンターケース１１（裏面側を図２に図示）、特別変動入賞装置、遊技盤装飾装置５４（図９に図示）、一般入賞口、風車と呼ばれる打球方向変換部材、多数の障害釘などが設けられている。
【００２９】
普図始動ゲート内には、該普図始動ゲートを通過した遊技球を検出するためのゲートセンサが設けられている。そして、遊技領域内に打ち込まれた遊技球が、普図始動ゲート内を通過すると、図示しない普図変動表示器において普図の変動表示ゲームが行われる。ここで、普図変動表示器は、例えば、ＬＥＤなどによって構成され、普通図柄（例えば、数字、記号、キャラクタ図柄など）の変動表示ゲームは、普図変動表示器の点灯状態を所定時間変動表示させた後、停止表示させることにより行うようになっている。なお、特図の変動表示ゲームの表示領域の一部で普図変動表示ゲームを表示するようにしても良い。この普図の変動表示ゲームの結果、普図変動表示器における停止表示が特別の結果態様となれば、普図の当たりとなって、普通変動入賞装置の開閉部材が所定時間（例えば、０．５秒間）後述のように開放される。これにより、普通変動入賞装置に遊技球が入賞しやすくなり、特図の変動表示ゲームの始動が容易となる。
【００３０】
普通変動入賞装置は左右一対の開閉部材を具備し、この開閉部材は、常時は遊技球が１個流入可能な程度の間隔で閉じた状態（遊技者にとって不利な状態）を保持しているが、普図変動表示器の普図変動表示ゲームの結果が所定の停止表示態様（例えば、「７」）となった場合には、逆「ハ」の字状に開いて普通変動入賞装置に遊技球が流入し易い状態（遊技者にとって有利な状態）に変化されるようになっている。
この普通変動入賞装置は、特図の始動入賞口も兼ねている。すなわち、普通変動入賞装置の内部（入賞領域）に備えられた始動口センサ５０（図９に図示）により遊技球を検出することに基づき始動条件が成立し、特図の変動表示ゲームが開始されるようになっている。
【００３１】
図２に示すように、遊技盤１（遊技領域）の略中央部には、特図の変動表示ゲームの表示領域となる表示用窓部１２を形成するセンターケース１１が取り付けられている。
センターケース１１は、断面が複雑な曲線となった筒状の部材であって、筒状の空間が延在する方向が遊技盤１の前後方向に沿うように、遊技盤本体１０の略中央部に形成された開口部１４に挿入された状態で取り付けられている。なお、開口部１４は、断面が複雑な曲線となったセンターケース１１の断面形状に合わせて形成されている。
【００３２】
センターケース１１の前端面には装飾が施されているとともに、遊技盤装飾装置５４としての盤装飾ランプが設けられている。また、センターケース１１の内周面のうち下側となる部分は、遊技球が転動可能なステージとなっている。センターケース１１の後部は、遊技盤本体１０の裏面よりも後方に突出しており、その後端部１６には、後述する裏機構枠１６０に取り付けられた表示枠ユニット１７０の前面が接するように配される。これによって、筒状のセンターケース１１の開口部である表示用窓部１２を介して、表示枠ユニット１７０の画像表示面１７１の表示を遊技盤１の前面側から見ることができるようになっている。なお、後述するように画像表示面１７１の面積は表示用窓部１２の面積よりも十分広くなっており、画像表示面１７１上の表示は表示用窓部１２が配された領域のみで行われるように制御されている。
【００３３】
そして、遊技領域内に打ち込まれた遊技球が特図の始動口を兼ねる普通変動入賞装置へ進入して始動条件が成立することに基づき、画像表示面１７１にて複数種類の識別情報（例えば、数字、記号、キャラクタ図柄など）を変動表示させる特別図柄の変動表示ゲームを実行可能となっている。なお、特図の変動表示ゲームは、画像表示面１７１において、複数種類の識別情報を所定時間変動表示させることにより行う。
そして、この特図の変動表示ゲームの結果として、画像表示面１７１の表示態様が特別結果態様（例えば、「７，７，７」等のゾロ目数字の何れか）となった場合には、大当たりとなって特別遊技状態（いわゆる、大当たり状態）となる。
【００３４】
特別変動入賞装置は、上端側が手前側に倒れる方向に回動して開放可能になっているアタッカ形式の開閉扉によって開閉される大入賞口を備えていて、特別遊技状態中は、大入賞口を閉じた状態から開いた状態に変換することにより大入賞口内への遊技球の流入を容易にさせる。なお、開閉扉は、ソレノイド（大入賞口ＳＯＬ５３、図９に図示）により駆動される。また、大入賞口の内部（入賞領域）には、該大入賞口に入った遊技球を検出するための大入賞口用センサ（カウントセンサ５１、図９に図示）が配設されている。
【００３５】
また、遊技領域に設けられた各一般入賞口には、一般入賞口に入った遊技球を検出するための一般入賞口センサ５２（図９に図示）が配設されている。そして、遊技を開始することにより遊技領域内に打ち込まれた遊技球が、一般入賞口、始動入賞口（普通変動入賞装置）、大入賞口（特別変動入賞装置）等の入賞口の何れかに入賞すると、それぞれの入賞口に対応した所定数の賞球としての遊技球が後述の排出発射制御装置３４（排出発射制御基板）の制御により排出装置２０１によって上皿に排出される（払い出される）ようになっている。
【００３６】
遊技盤１の裏面側であって、センターケース１１の下側には、普通変動入賞装置、大入賞口、一般入賞口などに入賞した遊技球を流下させる入賞球流路や、中継基板などを備えた裏面構成部材４０が取り付けられている。
また、この裏面構成部材４０には、その裏面側に演出データ装置３２を取り付けるためのボス等が形成されており、演出データ装置３２などを遊技盤１の裏面に取り付けるためのベースとしての機能も有する。
【００３７】
また、図１，２及び９に示すように、遊技機１００は、その制御系として遊技の進行を制御する遊技制御装置３０（主制御基板、主制御回路）、この遊技制御装置３０の制御下で各種の演出に関する制御を行う演出データ装置３２（演出ＲＯＭ基板、第１制御回路）、演出制御装置３３（演出制御基板、第２制御回路）、排出装置２０１による賞球または貸球の払い出しの制御と、発射装置６０による遊技球の発射の制御を行う排出発射制御装置３４（排出発射制御基板、排出発射制御回路）、電力を供給する電源供給装置３７（電源基板、電源回路）を備えている。
【００３８】
遊技制御装置３０は、図９に示すようにＣＰＵ３０ｂ、ＲＡＭ３０ｃ、ＲＯＭ３０ｄ等を有する遊技用マイクロコンピュータを備えるとともに、図示しない入出力インタフェース、各種処理の同期やタイマ等のためのパルス信号を出力するクロック（発振器）等により構成されている。
ＣＰＵ３０ｂは、制御部、演算部を備え、演算制御を行う他、特図変動表示ゲームの大当たり判定用乱数値などの各種乱数値なども生成している。
ＲＡＭ３０ｃは、普通変動入賞装置内に設けられた始動口センサ５０のオン信号などを記憶する記憶領域や、前記各種乱数値の記憶領域、並びに、ＣＰＵ３０ｂの作業領域等を備えている。
ＲＯＭ３０ｄには、遊技上の制御プログラムや制御データが書き込まれている他、上述の各種乱数値に対応して、特図の変動表示ゲームの大当り発生を判定するための、特図の変動表示ゲームの大当り判定値、変動パターン（リーチアクションの種類）の判定値などが記憶されている。
【００３９】
また、入出力インタフェースには、ローパスフィルタ及びバッファーゲートを介して、普通変動入賞装置の始動口センサ５０、大入賞口のカウントセンサ５１、一般入賞口の一般入賞口センサ５２などが接続されており、これらからの各種信号が入力され、これら各種信号は、該入出力インタフェースにより中継されて、ＣＰＵ３０ｂに対し出力される。
さらに、入出力インタフェースには、ＣＰＵ３０ｂから出力される各種の制御信号が入力され、これら制御信号は、該入出力インタフェースにより中継されて、図示しない出力ポート及びドライバを介して、普通変動入賞装置や特別変動入賞装置の駆動手段としての各種開閉ソレノイド（例えば、大入賞口ＳＯＬ５３）、演出制御装置３３、賞球の排出や遊技球の発射を制御する排出発射制御装置３４などに出力されている。
【００４０】
演出データ装置３２は、演出の制御内容を記憶した制御ＲＯＭ３２ｃ、画像や映像データが記憶されたキャラクタＲＯＭ３２ｂ、音データが記憶された音声データＲＯＭ３２ｄを備えている。なお、この演出データ装置３２に備えられた各種ＲＯＭの記憶内容は、遊技機の機種に依存するものである。
また、演出データ装置３２は、遊技制御装置３０から出力される制御信号（各種コマンドなど）を中継して演出制御装置３３に送信するようになっている。なお、遊技制御装置３０と演出制御装置３３との間の通信において、演出データ装置３２は単に信号を通過させるのみ（スルー接続）となっている。
さらに、演出データ装置３２は、盤装飾ランプ・ＬＥＤ、装飾用役物（ソレノイド）などの遊技盤装飾装置５４を駆動する盤装飾ドライバ３２ｅを備えており、演出制御装置３３が遊技制御装置３０から受信した制御信号（演出コマンド）に基づいて（遊技制御装置３０の制御の下に）この盤装飾ドライバ３２ｅを制御し、盤装飾を行うようになっている。
【００４１】
また、この演出データ装置３２と直接接続された演出制御装置３３は、制御装置としてのＣＰＵ３３ｂ、ＲＡＭ３３ｃや、表示ユニット１７３（液晶表示パネル１７５）における表示を制御する画像用メモリとしてのＲＡＭや、グラフィックプロセッサとしてのＶＤＰ３３ｄ（ｖｉｄｅｏ  ｄｉｓｐｌａｙ  ｐｒｏｃｅｓｓｏｒ）、画像や映像データが記憶された画像ＲＯＭ（サブ）３３ｅなどを含むビデオ回路、音の出力を制御する音声ＬＳＩ３３ｆ、音量を調節する音声ボリューム３３ｇを備えている。
また、前面枠１２０に設けられたランプ、ＬＥＤなどの前面枠１２０を装飾する枠装飾装置５７を駆動する枠装飾ドライバ３３ｈを備えている。さらに、表示ユニット１７３の液晶表示パネル１７５における表示状態を調節するための、輝度調節器３３ｉ、コントラスト調節器３３ｊ、表示位置調節器３３ｋが備えられている。
【００４２】
演出制御装置３３は図示しない入出力インタフェースを有し、この入出力インタフェースにはローパスフィルタ及びバッファーゲートを介して、遊技制御装置３０、演出データ装置３２、遊技機の前面（例えば、上皿の周囲）に設けられた遊技者が操作可能な演出用ボタン５９などが接続されており、これらからの各種信号が入力され、これら各種信号は、該入出力インタフェースにより中継されて、ＣＰＵ３３ｂに対し出力される。
さらに、入出力インタフェースには、ＣＰＵ３３ｂから出力される各種の制御信号が入力され、これら制御信号は、該入出力インタフェースにより中継されて、図示しない出力ポート及びドライバを介して、演出データ装置３２、液晶表示パネル１７５のバックライト５６、枠装飾装置５７（枠装飾ドライバ３３ｈを介して）などに出力されている。なお、ＣＰＵ３３ｂから出力される制御信号のうち、画像の制御に関する制御信号は、ＣＰＵ３３ｂからＶＤＰ３３ｄに出力され、ＶＤＰ３３ｄから該制御信号に基づく画像データが液晶表示器５５に出力される。また、音声の制御に関する制御信号は、ＣＰＵ３３ｂから音声ＬＳＩ３３ｆに出力され、音声ＬＳＩ３３ｆから該制御信号に基づく音声データがスピーカ５８に出力される。
【００４３】
そして、演出制御装置３３は、遊技制御装置３０から演出データ装置３２を介して受信した制御信号（演出コマンド）に基づいて（遊技制御装置３０の制御の下に）、枠装飾装置５７による枠装飾の制御、液晶表示パネル１７５（液晶表示器５５、バックライト５６）の制御、スピーカ５８による音の出力の制御を行う。さらに、遊技制御装置３０から演出データ装置３２を介して受信した制御信号（演出コマンド）に基づいて（遊技制御装置３０の制御の下に）演出データ装置３２に備えられた盤装飾ドライバ３２ｅを介して遊技盤装飾装置５４の制御を行う。
【００４４】
排出発射制御装置３４は、ＣＰＵ、ＲＡＭ、ＲＯＭ等を有するマイクロコンピュータを有し、遊技制御装置３０からの制御信号（賞球コマンド）や、球貸機（図示略）からの制御信号（球貸しコマンド）に基づいて所要数の遊技球（賞球、貸球）を排出装置２０１から排出させる制御を行う。また、発射装置６０による遊技球の発射制御を行う。
そして、上述の各制御基板や、遊技機１００に備えられた各装置には、電源供給装置３７（電源回路、電源基板）から電力が供給されるようになっている。なお、演出データ装置３２への電源供給は演出制御装置３３を介して行われるようになっている。
【００４５】
これらの制御回路においては、例えば以下のような制御が行われる。
遊技制御装置３０のＣＰＵ３０ｂでは、普通変動入賞装置に備えられた始動口センサ５０からの遊技球の検出信号の入力に基づき、特図の大当たり判定用乱数値を抽出してＲＯＭ３０ｄに記憶されている判定値と比較し、特図の変動表示ゲームの当たり外れを判定する処理を行う。また、この他に変動パターンの判定を行う処理などを行い、これらの結果を含む制御信号を、演出データ装置３２を介して演出制御装置３３に出力する。演出制御装置３３とこれに接続した演出データ装置３２では、遊技制御装置３０からの制御信号に基づき、表示ユニット１７３の液晶表示パネル１７５で特図の変動表示ゲームを表示する処理や、スピーカ５８からの音の出力、ランプ、ＬＥＤ、装飾用役物などの遊技盤装飾装置５４を制御する処理、ランプ、ＬＥＤなどの枠装飾装置５７を制御する処理を行う。そして、遊技制御装置３０のＣＰＵ３０ｂは、特図の変動表示ゲームが大当たりであった場合に、特別遊技状態を発生し、大入賞口ＳＯＬ５３により特別変動入賞装置を動作する制御を行う。
【００４６】
また、遊技制御装置３０のＣＰＵ３０ｂは、普図始動ゲートに設けられたゲートセンサからの遊技球の検出信号の入力に基づき、上述と同様に普図の変動表示ゲームの当たり外れを判定するとともに演出データ装置３２を介して演出制御装置３３に制御信号を出力し、普図変動表示器に普図変動表示ゲームを表示させる。そして、遊技制御装置３０のＣＰＵ３０ｂは、普図の変動表示ゲームが当たりであった場合に、普通変動入賞装置を動作する制御を行う。
【００４７】
また、遊技制御装置３０のＣＰＵ３０ｂは、各種入賞口に設けられたセンサ（始動口センサ５０、カウントセンサ５１、一般入賞口センサ５２）から入力される遊技球の検出信号に基づき排出発射制御装置３４に制御信号を出力する。排出発射制御装置３４は、制御信号の入力に基づき排出装置２０１を制御して所定数の遊技球が払い出されるようにする。また、排出発射制御装置３４は、操作ハンドル１５１の操作に基づく入力および操作ハンドル１５１に設けられた図示しないタッチセンサからの入力に基づき、発射装置６０を制御して遊技球が遊技領域に発射されるようにする。
すなわち、以上のことから主制御回路をなす遊技制御装置３０は、遊技の進行を制御する遊技制御装置をなし、第１制御回路をなす演出データ装置３２と第２制御回路をなす演出制御装置３３とが遊技機１００における種々の演出を制御する演出制御装置をなす。
【００４８】
そして、これらの各基板は以下のように遊技機に取り付けられている。
図２に示すように、画像表示面１７１における表示データなど、機種に依存するデータが記憶された演出データ装置３２は、ボックス３２ａに収納された状態で、遊技盤１の裏面側下方部に設けられた裏面構成部材４０の裏面側であって、後述する裏機構枠１６０の下縁からその下側に取り付けられている。このボックス３２ａの裏面側には、演出制御装置３３と接続するためのコネクタ部３２ｆ、遊技制御装置３０と接続するため（遊技制御装置３０と演出制御装置３３との間の中継のため）のコネクタ部（図示略）、遊技盤装飾装置５４と接続するためのコネクタ部（図示略）が設けられている。さらに、ボックス３２ａの裏面側には、ボックス３０ａに収納された遊技を制御する遊技制御装置３０が取り付けられるようになっている。すなわち、ボックス３２ａの裏面は遊技制御装置３０を取り付けるための台座をなす。また、ボックス３２ａに隣設して、遊技機外部の装置（管理装置）と接続するための盤用外部出力端子２０６が設けられている。
【００４９】
また、図５に示すように、複数の機種で共通使用可能な演出制御装置３３は、ボックス３３ａに収納された状態で前面枠本体１３０の裏面側に取り付けられた後述の裏機構枠１６０に取り付けられている。なお、ボックス３３ａの前側の下部には、コネクタ部３３ｍが、裏機構枠１６０の下縁から下方に突出するように設けられ、演出データ装置３２のコネクタ部３２ｆと接続することが可能となっており、これによって両者が直接接続されるようになっている。
【００５０】
また、排出装置２０１による賞球の排出、発射装置６０による遊技球の発射を制御する排出発射制御装置３４、遊技機１００内の各装置に電力を供給する電源回路としての電源供給装置３７は、それぞれボックス３４ａ、３７ａに収納された状態で、前面枠本体１３０の裏面側の遊技盤１より下側となる位置に取り付けられている。
【００５１】
すなわち、機種に依存する演出データ装置３２、遊技制御装置３０は遊技盤１に取り付けられ、複数の機種で共通使用可能な演出制御装置３３や排出発射制御装置３４、電源供給装置３７は前面枠本体１３０もしくは裏機構枠１６０に取り付けられている。よって、遊技盤１を変更することにより機種に依存する装置（基板）のみが交換され、遊技機１００の遊技内容を変更することが可能である。
【００５２】
図１から７に示すように、裏機構枠１６０は、本体部１６１と、画像を表示する表示ユニット１７３を備える表示枠ユニット１７０を支持、案内するためのガイド部１６２とを有し、表示枠ユニット１７０の他、表示枠ユニット１７０を制御する演出制御装置３３、賞球などを排出する排出装置２０１と排出装置２０１に遊技球を供給する貯留タンク２２０を一体的に備えたタンク排出装置２００、シュート２４０が取り付けられている。
【００５３】
上述したように、裏機構枠１６０の前から見て左側の端部は、前面枠本体１３０の裏面であって遊技機１００の裏面側から見て右側の側部に回動可能に軸支されており、図１に示すように、前面枠本体１３０に形成されて遊技盤１が嵌め込まれる開口部の上側略半分を裏面側から覆って遊技盤１の裏面に臨む状態から、図２に示すように、後方に扉状に回動して遊技盤１の裏面側を開放する状態との間で回動可能となっている。すなわち、裏機構枠１６０に表示ユニット１７３が配設されることで、表示ユニット１７３は該裏機構枠１６０を介して前面枠１２０側に配設された状態で遊技盤１の後方位置に配設されることとなる。なお、裏機構枠１６０が、遊技盤１が嵌め込まれる開口部の上側略半分を裏面側から覆った状態においては、遊技盤裏面における演出データ装置３２が配設される部位を除く遊技盤裏面側の上方部を覆うようになっている。なお、前面枠１２０に遊技盤１を前側から取り付ける構成の場合は、開閉できない裏機構枠１６０であってもよい。
【００５４】
図１に示すように、本体部１６１は、所定の厚みを有する背面壁２６３と、背面壁２６３の下側を除く周囲に前方に延出するように形成された周囲壁１６７とを有し、これら背面壁２６３と周囲壁１６７とから、裏機構枠１６０が遊技盤１の裏面に臨む状態において、前面側（遊技盤１の裏面に臨む側）に開口する矩形箱状の凹部である表示枠ユニット配設部１６３が形成されている。
【００５５】
さらに、背面壁２６３の左右に位置する周囲壁１６７の前側には、それぞれガイド部１６２が、左右の周囲壁１６７を前側に延長するように取り付けられている。そして、ガイド部１６２を本体部１６１に取り付けた状態では、図４に示すように、ガイド部１６２の内周面が周囲壁１６７の内周面のうちの主に左右の内周面と略同一面を形成するようになっており、ガイド部１６２によって周囲壁１６７の内周面の一部が前側に延出された状態となっている。この背面壁２６３と周囲壁１６７およびガイド部１６２で形成される、所定の奥行きを有するとともに前側に開口した矩形凹室形状の空間（少なくとも背面と左右側面とを囲まれた空間）が、表示枠ユニット１７０を収納する表示枠ユニット収納部１６８となる。すなわち裏機構枠１６０は、前面側に凹室形状の表示枠ユニット収納部１６８を形成するように、後方側に膨出状に構成されている。
また、裏機構枠１６０の前面側から見て左側に設けられたガイド部１６２には、軸受け部１６２ａが形成されており、前面枠本体１３０の裏面側に設けられた上下方向に延在する回動軸１３１を軸受け部１６２ａに回動可能に嵌合することで、裏機構枠１６０が前面枠本体１３０に対して回動可能に軸支されるようになっている。
【００５６】
裏機構枠１６０の上部には、外部から供給される遊技球を貯留する貯留タンク２２０と、該貯留タンク２２０と一体的に設けられ、該貯留タンク２２０に貯留されている遊技球を下流側に排出可能な排出装置２０１とを有するタンク排出装置２００が設けられている。
【００５７】
図６に示すように、貯留タンク２２０は、上面側が開放した概略長方形状の箱体であって、外部（島設備の補球装置）から供給される遊技球を貯留するものである。
この貯留タンク２２０の一側方であって、裏機構枠１６０が前面枠本体１３０に軸着される側には、排出装置２０１が一体的に設けられており、貯留タンク２２０の底壁２２１は、排出装置２０１が設けられた側に向かって下るように傾斜している。
【００５８】
排出装置２０１は、筐体となる筒体部２０２の内部空間に、図示しないスプロケットが回動可能に設けられ、上部に設けられたステッピングモータ２０３によってスプロケットを回動させることで、筒体部２０２の底面に設けられた図示しない排出口から遊技球を一個宛排出できるように構成されている。また排出口は、賞球もしくは貸球としての遊技球を排出する排出用導出口と、貯留タンク２２０から遊技球を抜き取る際に使用する球抜き用導出口とが設けられており、スプロケットの回転方向によって遊技球を排出する排出口を選択できるようになっている。そして、排出装置２０１は、（遊技制御装置３０の制御の下で）排出発射制御装置３４によってステッピングモータ２０３の回転方向、回転角度が制御され、排出用導出口から賞球もしくは貸球として所定数の遊技球を排出することや、球抜き導出口から貯留タンク２２０内の遊技球を遊技機外部（島設備の回収樋）に排出することができるようになっている。
【００５９】
排出装置２０１から排出された遊技球は、図７に示すように、表示枠ユニット収納部１６８の前面側から見て左側の側部に設けられた遊技球流路をなすシュート２４０を流下する。シュート２４０は、２つの遊技球の流路を形成する２つの溝を備えた流路構成部材２４１と、流路構成部材２４１の溝状の流路の蓋となる流路カバー２４２とを備える。そして、これらによって、賞球もしくは貸球として排出用導出口から排出された遊技球が流下する排出流路２４３と、球抜きのために球抜き用導出口から排出された遊技球が流下する球抜き流路２４４が形成されている。排出流路２４３はその下流側端部で遊技球を上皿に誘導する流路に連結しており、排出装置２０１から賞球または貸球として排出された遊技球が上皿に流入するようになっている。また、球抜き流路２４４はその下流側端部で遊技球を遊技機外部に誘導する流路に連結しており、排出装置２０１によって貯留タンク２２０から抜き取られた遊技球が遊技機外部に排出されるようになっている。
【００６０】
このように、貯留タンク２２０と排出装置２０１が一体となったタンク排出装置２００を裏機構枠１６０の上部に、遊技球流路となるシュート２４０を裏機構枠１６０の側部に配設したことにより、これらが前面枠１２０の裏面側に効率よく配設されることとなり、表示ユニット１７３の配設領域を十分に確保することができる。
【００６１】
以上のことから、遊技領域を形成する遊技盤１を前面枠１２０に対して着脱可能に配設し、該遊技盤１に形成された表示領域（表示用窓部１２）において遊技に関わる表示ゲームを表示するようにした遊技機１００において、前面枠１２０の裏面側に、遊技媒体を排出するための排出装置２０１を設けた裏機構枠１６０を配設し、裏機構枠１６０は、表示ゲームを表示するための表示ユニット１７３を、その表示面（画像表示面１７１）を遊技盤１の表示領域（表示用窓部１２）に臨ませた状態で配設したこととなる。
【００６２】
図５，６に示すように、裏機構枠１６０の裏面となる背面壁２６３の裏面の下部には、前方に窪んで後方に開口した略矩形状の凹部である演出制御装置配設部１６５が形成され、演出制御装置３３を収容したボックス３３ａが配設されている。
演出制御装置配設部１６５の裏面側から見て右側の内側面には、本体部１６１の上下方向に沿って延在する回動軸２６４が設けられており、この回動軸２６４によってボックス３３ａに形成された軸受け部２６９が軸支されることで、演出制御装置３３を収納したボックス３３ａが演出制御装置配設部１６５に対して扉状に開閉可能に支持されている。なお、ボックス３３ａは、図１に示すように、演出制御装置配設部１６５に収容された状態から、図５に示すように、本体部１６１の後方へ回動可能となっている。
【００６３】
また、演出制御装置配設部１６５の回動軸２６４が設けられた側に対向する内側面には、演出制御装置配設部１６５に対して回動可能に取り付けられるボックス３３ａの一端部（開放端）を固定する固定部材２６５が設けられている。この固定部材２６５には演出制御装置配設部１６５側に開口する凹部２６６が形成されており、この凹部２６６に、ボックス３３ａの側部に設けられた係合部２６７を受け入れ保持することで、ボックス３３ａの開放端側を係止し、ボックス３３ａを演出制御装置配設部１６５内に固定するものである。
【００６４】
また、背面壁２６３の裏面であって、演出制御装置配設部１６５が形成された部分には、演出制御装置配設部１６５の前面側に形成された表示枠ユニット収納部１６８に連通する配線用開口２６８が形成されており、この配線用開口２６８を通して液晶表示パネル１７５（液晶表示器５５、バックライト５６）と演出制御装置３３とが配線によって接続されるようになっている。
【００６５】
演出制御装置３３を収容したボックス３３ａの上下幅は、演出制御装置配設部１６５の上下幅よりも広く、演出制御装置配設部１６５にこのボックス３３ａを収容すると、ボックス３３ａの下部が演出制御装置配設部１６５の下方に延出するようになっている。そして、図２に示すように、ボックス３３ａの前面側であって本体部の下縁の下方に延出する部分からは、演出制御装置３３に設けられたコネクタ部３３ｍがボックス３３ａの外側に露出している。
【００６６】
また、上述したように、遊技盤１の裏面には演出データ装置３２が取り付けられており、この演出データ装置３２の裏面であって、演出制御装置３３が取り付けられた演出制御装置配設部１６５の下方に位置する部分には、コネクタ部３２ｆが設けられている。
【００６７】
すなわち、図１に示すように、遊技盤１が前面枠本体１３０に取り付けられ、かつ、裏機構枠１６０が遊技盤１の裏面側に配された状態で、演出制御装置３３を収容したボックス３３ａを演出制御装置配設部１６５に収容される状態にすると、演出データ装置３２のコネクタ部３２ｆと演出制御装置３３のコネクタ部３３ｍが連結し、演出データ装置３２と演出制御装置３３が直接接続できるようになっている。さらに、ボックス３３ａは、コネクタ部３３ｍの両側にワンタッチ着脱式の固定部材３３ｄ，３３ｄを有しており、演出データ装置３２に形成された取付穴（図示略）に固定部材３３ｄ，３３ｄを押し込むことで両装置のコネクタ３２ｆ，３３ｍを確実に連結できるようになっている。また、ボックス３３ａの演出制御装置配設部１６５に軸着される側の端部にも、コネクタ部３３ｎが外部に露出するように設けられており、他の制御装置等と接続できるようになっている。
【００６８】
さらに、ボックス３３ａの軸着される側と対向する側の端部（開放端）には、演出制御装置配設部１６５に形成された固定部材２６５に係合可能な係合部２６７が設けられている。この係合部２６７は、ボックス３３ａの裏面に設けられた図示しない操作手段を操作することで、ボックス３３ａの側部から突出した状態とボックス３３ａ内部に収納された状態とに変換できるようになっており、ボックス３３ａの演出制御装置配設部１６５への固定と解除を行えるようになっている。
【００６９】
図６に示すように、背面壁２６３の裏面であって、裏機構枠１６０の裏面側から見て、演出制御装置配設部１６５の右側には、演出制御装置３３と他の装置等を接続する配線を収納する配線収納部２０４が形成されている。
この配線収納部２０４は、演出制御装置配設部１６５に連通する前方に窪んで後方に開口した凹部であって、配線を収納する他、遊技機外部の装置（管理装置など）との通信を行うための枠用外部出力端子２０５を取り付けるための取付部２０５ａや、中継基板２０７を取り付けるための取付部２０７ａが形成されている。この配線収納部２０４は、カバー部材２０８によって覆われるようになっているが、カバー部材２０８の上部には開口部２０９が形成されており、カバー部材２０８を取り付けた状態で、取付部２０５ａに取り付けられた枠用外部出力端子２０５が裏機構枠１６０の裏面側に露出するようになっている。
【００７０】
図４，７に示すように、表示枠ユニット収納部１６８の後面を形成する背面壁２６３の前面には、表示枠ユニット１７０を前側に付勢する表示枠ユニット付勢手段をなす付勢部材としての圧縮コイルばね１８２を収納する付勢部材収納部１８１や、本体部１６１を補強するための補強リブ１６４が形成されている。なお、上述したように背面壁２６３の裏面側の下部には、前方に窪んで後方に開口した凹部である演出制御装置配設部１６５が形成されており、表示枠ユニット収納部１６８の後面であって下部は、演出制御装置配設部１６５の裏面によって形成されている。
【００７１】
付勢部材収納部１８１は、後述する表示枠ユニット付勢手段としての圧縮コイルばね１８２の外径と略同じ内径を有する円筒形の凹部で、前側に突出した演出制御装置配設部１６５の上側に隣接して、背面壁２６３の左右方向の中心から左右に等しい距離だけ離れて２つ設けられている。すなわち、付勢部材収納部１８１は背面壁２６３の前面側であって、演出制御装置配設部１６５と前後に重ならない部位に設けられている。
【００７２】
そして、表示枠ユニット収納部１６８の後面であって、前側に突出した演出制御装置配設部１６５と付勢部材収納部１８１が存在する部分を除いた部分には、補強リブ１６４が格子状に形成されている。なお、付勢部材収納部１８１および補強リブ１６４の前端部と、演出制御装置配設部１６５の裏面は、それぞれ同じ前後位置、すなわち、同一平面上に存在する。
【００７３】
そして、左右の周囲壁１６７とそれを延長するガイド部１６２により形成される表示枠ユニット収納部１６８の左右の内側面には、表示枠ユニット１７０の外周部を構成している表示枠ユニット本体１７２の左右の側部にそれぞれ設けられるとともに、前記左右の側部の上部及び下部の合わせて４カ所から外側（左側もしくは右側）に突出する後述の被スライド部１８を前後に移動自在に案内する概略溝状のスライド部１６９が設けられている。
【００７４】
スライド部１６９は、４つの被スライド部１８に対応して左右の内周面にそれぞれ上下２本ずつ前後方向に延在して設けられている。また、上側のスライド部１６９はその上部に、下側のスライド部１６９はその下部にそれぞれ前後方向に沿った突条１６９ａが形成され、溝状のスライド部１６９と合わせて被スライド部１８の上下移動を規制して前後に案内するようになっている。なお、スライド部１６９の前端は、ガイド部１６２の前端部より僅かに後方となっており、スライド部１６９の前端部には、溝状のスライド部１６９前端部を閉塞した状態として、該前端部より前側への表示枠ユニット１７０（被スライド部１８）の移動を規制する前方位置規制部材１８０が形成されている。
【００７５】
ここで、表示枠ユニット収納部１６８は、画像表示面１７１の面積が異なる複数種の表示枠ユニットを交換可能に構成されており、例えば、図４に示すように、画像表示面１７１の面積が大きい表示枠ユニット１７０より、標準サイズの画像表示面１７１を有する表示枠ユニット２７０に交換できるようになっている。この標準サイズの画像表示面１７１を有する表示枠ユニット２７０の詳細については後述するが、この表示枠ユニット２７０は前面側から見て右上部の被スライド部１８の位置が、画像表示面１７１の面積が大きい表示枠ユニット１７０と異なっており、表示枠ユニット収納部１６８には、これに対応するように別のスライド部１６９ｂが形成されている。
【００７６】
表示枠ユニット収納部１６８には、画像表示面１７１が前側（開口した側）となるように表示枠ユニット１７０が配設されるようになっている。そして、図１に示すように、裏機構枠１６０を遊技盤１の裏面に臨むように配することで、遊技盤１の裏面側に表示枠ユニット１７０の画像表示面１７１が臨むようになる。なお、裏機構枠１６０が遊技盤１の裏面に臨む状態にあるとき、表示枠ユニット１７０は遊技盤本体１０の裏面から後方側へ隔離した位置に配されるようになっている。また、この表示枠ユニット収納部１６８の上下幅および左右幅は、表示枠ユニット１７０の上下幅および左右幅（ただし左右に突出する被スライド部１８を除く）よりも大きくなっており、表示枠ユニット１７０の周囲に空間があいた状態とされる。さらに、溝状のスライド部１６９の上下幅は被スライド部１８の上下幅よりも若干大きく、また、左右に対向して形成されたスライド部１６９，１６９間の幅は、表示枠ユニット１７０の左右に形成された被スライド部１８，１８の側端部間の幅よりも若干大きくなっている。
【００７７】
これによって、表示枠ユニット１７０の前後方向への移動が容易になるとともに、表示枠ユニット１７０が表示枠ユニット収納部１６８内で僅かに傾斜した状態（非平行状態）になることも可能となる。
【００７８】
また、表示枠ユニット１７０は、後述するように、バネ等の弾性部材からなる表示枠ユニット付勢手段により前方側に向かって付勢された状態となっているが、裏機構枠１６０を開放した状態あるいは、遊技盤１を前面枠１２０から取り外した状態では、上述の前方位置規制部材１８０に表示枠ユニット１７０の被スライド部１８の前端部が当接した状態となる。すなわち、この表示枠ユニット１７０の裏機構枠１６０に対する前後位置が、表示枠ユニット１７０の前後方向の移動範囲における最も前側の位置である。
なお、裏機構枠１６０を閉じた状態においては、遊技盤裏面に設けられて後方に突出するセンターケース１１の後端部１６は、上述した表示枠ユニット１７０の前後方向の移動範囲における最も前側の位置より後方に位置するようになっている。よって、センターケース１１の後端部１６が表示枠ユニット１７０の前面に密着できるようになっている。すなわち、スライド部１６９と被スライド部１８からなるスライド手段によって、表示ユニット１７３を備えた表示枠ユニット１７０が、前後にスライド可能に表示枠ユニット収納部１６８に収納され、さらに表示枠ユニット１７０は、遊技盤１の裏面側への突出量（後方突出量）に応じて前後にスライドするようになっている。
【００７９】
以上のことから、裏機構枠１６０は、後方側に膨出状に形成されて表示ユニット１７３を収納するための前面開口状の収納部（表示枠ユニット収納部１６８）を形成し、収納部には、遊技盤１の後方突出量に応じて、表示ユニット１７３を前後動可能なスライド部１６９を形成したこととなる。
【００８０】
表示枠ユニット１７０は、図２から４及び８に示すように、前面側が開口した矩形箱状（額縁状）に形成された表示枠ユニット本体１７２と、この矩形箱状の表示枠ユニット本体１７２の、前面側が前記開口により開放された空間である内部収納空間１８３内に配置される表示ユニット１７３と、前記表示枠ユニット本体１７２の前面側で前記内部収納空間１８３の前側を覆う透明な前面クリアカバー１７９とからなるものである。なお、図２及び８に示した表示枠ユニット１７０は、前面クリアカバー１７９を取り外した状態となっている。また、図４に示すように、表示枠ユニットは画像表示面１７１の面積が大きい表示枠ユニット１７０の他に、例えば、標準サイズの画像表示面１７１を有する表示枠ユニット２７０にも交換可能であるが、ここでは画像表示面１７１の面積が大きい表示枠ユニット１７０の構成について説明するものとし、標準サイズの画像表示面１７１を有する表示枠ユニット２７０の構成については後述する。
【００８１】
表示枠ユニット本体１７２は、被スライド部１８を有し、裏機構枠１６０の表示枠ユニット収納部１６８内において前後動自在に配される。また、表示枠ユニット本体１７２の内部収納空間１８３は、その形状が前後幅が狭い略直方体状、すなわち、略矩形板状となっている。
【００８２】
被スライド部１８は表示枠ユニット本体１７２の左右の側部であって、上部及び下部の合わせて４ヶ所から側部に対して垂直に外側に突出するように設けられている。
図１１から１４に示すように、この被スライド部１８は略直方体形状であって、先端側には、カバー部材１８ａが取り付けられている。このカバー部材１８ａは、摩擦係数が低い材質（例えば、ポリアセタール、金属）からなる。
【００８３】
また、被スライド部１８の先端側には、例えば、遊技球のような球状部材Ｔが回転可能に収納されており、カバー部材１８ａを取り付けることによって、球体の一部がカバー部材１８ａに形成された開口部１８ｅから外側に突出した状態で保持されるようになっている。なお、カバー部材１８ａには、被スライド部１８の前面を覆う部分にねじ孔１８ｂが形成されており、また、被スライド部１８の前面には、前記ねじ孔１８ｂに対応する位置にねじ止め部（ボス）１８ｆが形成されており、カバー部材１８ａをねじによって被スライド部１８に固定できるようになっている。
【００８４】
表示枠ユニット１７０の上部にある被スライド部１８においては、カバー部材１８ａが、裏機構枠１６０の表示枠ユニット収納部１６８に形成されたスライド部１６９と接する被スライド部１８の端面（外側に位置する側面）と上面、前面およびこれらの面が接続する角部を覆うように取り付けられている。そして、カバー部材１８ａの被スライド部１８の端面を覆う部分に形成された開口部１８ｅから、被スライド部１８に収納された球状部材Ｔの一部が外側に突出するようになっており、スライド部１６９との接触を主に当該球状部材Ｔにより行うようになっている。
【００８５】
また、表示枠ユニット１７０の下部にある被スライド部１８においては、カバー部材１８ａが、裏機構枠１６０の表示枠ユニット収納部１６８に形成されたスライド部１６９と接する被スライド部１８の端面（外側に位置する側面）と下面、前面およびこれらの面が接続する角部を覆うように取り付けられている。そして、カバー部材１８ａの被スライド部１８の下面を覆う部分に形成された開口部１８ｅから、被スライド部１８に収納された球状部材Ｔの一部が外側に突出するようになっており、スライド部１６９との接触を主に当該球状部材Ｔにより行うようになっている。
【００８６】
このような構成によって、スライド部１６９に対して回転可能な球状部材Ｔもしくは摩擦係数が低い材質からなるカバー部材１８ａが当接することとなり、被スライド部１８とスライド部１６９との間の摩擦抵抗が軽減され、表示枠ユニット１７０を円滑に前後方向に移動することができるようになる。
【００８７】
また、表示枠ユニット本体１７２の側壁の内側、すなわち、内部収納空間１８３の内側となる部分には、ねじ止め部（ボス）１８ｄが形成されていて、内部収納空間１８３の前面側の開口を閉鎖する前面クリアカバー１７９をねじによって表示枠ユニット本体１７２の前面側に固定できるようになっている。
【００８８】
前面クリアカバー１７９は、内部収納空間１８３の前面側の開口と略同じ大きさの透明な材質からなる略矩形板状の部材で、上述のように表示枠ユニット本体１７２の前面側に固定されるようになっている。この前面クリアカバー１７９は、内部収納空間１８３の前面側の開口を閉鎖する前面壁としての機能を有し、表示枠ユニット１７０の前面側から後述の表示ユニット１７３（画像表示面１７１）を視認可能な状態で、表示ユニット１７３を内部収納空間１８３内に保持するものである。また、前面クリアカバー１７９は、表示枠ユニット１７０の前面壁としての機能も有し、図１に示すように、裏機構枠１６０を閉鎖した状態では、前面クリアカバー１７９の前面がセンターケース１１の後端部１６に当接し、表示用窓部１２を閉鎖するようになっている。すなわち、前面クリアカバー１７９は、液晶表示パネル１７５の画像表示面１７１を、センターケース１１の後端部１６や遊技球の接触に伴う衝撃から保護するものでもある。
【００８９】
また、表示枠ユニット本体１７２の裏面には、図示しない配線用開口、ばね装着筒が形成されている。
配線用開口は、表示枠ユニット本体１７２を前後に貫通するように形成された開口で、表示枠ユニット本体１７２の前面側であって内部収納空間１８３内に配される表示ユニット１７３と、裏機構枠１６０の裏面側に配される演出制御装置３３とを接続する配線を通すための開口である。なお、表示ユニット１７３を構成する表示ユニットケース１７４の裏面側にも図示しない配線用開口が形成されており、液晶表示パネル１７５に設けられたコネクタ部が後方に露出している。表示枠ユニット本体１７２に形成された配線用開口は、表示ユニット１７３を内部収納空間１８３に収納した際に、表示ユニット１７３の裏面側に露出する液晶表示パネル１７５のコネクタ部が、表示枠ユニット本体１７２の裏面側に露出できるような位置に形成されている。
【００９０】
ばね装着筒は、表示枠ユニット本体１７２の裏面側に、後方に突出するように形成された円筒状の凸部である。このばね装着筒の外径は、表示枠ユニット付勢手段としての圧縮コイルばね１８２の内径と略等しく、ばね装着筒に圧縮コイルばね１８２を嵌合することで、表示枠ユニット本体１７２の裏面（表示枠ユニット１７０の裏面）に圧縮コイルばね１８２が取り付けられる。
【００９１】
このばね装着筒が形成される位置は、表示枠ユニット１７０を表示枠ユニット収納部１６８に取り付けたときに、表示枠ユニット配設部１６３の前面に形成された付勢部材収納部１８１と対向する位置となっている。そして、付勢部材収納部１８１に収納された圧縮コイルばね１８２に、ばね装着筒を挿入することで、表示枠ユニット１７０と表示枠ユニット配設部１６３の前面との間に圧縮コイルばね１８２が配され、表示枠ユニット１７０が前方向に付勢された状態となる。なお、圧縮コイルばね１８２に外部から力がかかっていない状態での長さ（自然長）は、表示枠ユニット１７０の前面が前方位置規制部材１８０に当接し、表示枠ユニット１７０が最も前側にある状態における表示枠ユニット１７０の裏面と付勢部材収納部１８１の後端部との距離よりも長く、常に表示枠ユニット１７０を前側に付勢できるようになっている。
【００９２】
表示ユニット１７３は、表示枠ユニット本体１７２の内部収納空間１８３内に収まるような矩形板状に形成されている。この表示ユニット１７３は、液晶表示パネル１７５（液晶表示器５５、バックライト５６を含む）を収納する表示ユニットケース１７４と、この表示ユニットケース１７４内に収納された液晶表示パネル１７５とからなるものであり、表示ユニットケース１７４の前面側から液晶表示パネル１７５の画像表示面１７１を有する前面が露出している。なお、表示ユニット１７３の側部には、内部収納空間１８３の内側面に突出するように形成されたねじ止め部１８ｄ，１８ｄ・・・と対応する位置に凹部１７３ａ，１７３ａ・・・が形成されており、表示ユニット１７３を内部収納空間１８３に収納した際には、この凹部１７３ａ，１７３ａ・・・にねじ止め部１８ｄ，１８ｄ・・・が収容され、前側に露出するようになっている。
【００９３】
図８に示すように、表示ユニット１７３の下部１７３ｂと表示枠ユニット１７０の下部１７０ａとの間の内部収納空間１８３には、振動吸収手段３００として、図１０に示すような、第１振動吸収手段３１０を備えている。当該第１振動吸収手段３１０は、２つの板状部材３１１，３１２と当該２つの板状部材の間に配置されるコイルばね等の弾性部材３１３（本実施形態では２つのコイルばねからなっている）を有している。また、２つの板状部材３１１，３１２の互いに対向する面には、弾性部材３１３が配置される位置に、弾性部材３１３に挿入して当該弾性部材３１３を係止する所定高さで略円柱形状の弾性部材装着凸部（ボス）３１４，３１５が設けられている。なお、第１振動吸収手段３１０は、下側の板状部材３１２を表示枠ユニット１７０の下部１７０ａに固定し、上側の板状部材３１１の上に表示ユニット１７３の下部１７３ｂが当接して当該表示枠ユニット１７３が載置された状態で、弾性部材３３１が縮みきっていない状態となるようにされている。これにより、表示枠ユニット１７０に上下方向の振動が伝わった際に、弾性部材３１３がさらに縮むことで振動を吸収することができ、振動が表示ユニット１７３に伝わることを防止することができる。
この第１振動吸収手段３１０により、排出装置２０１や貯留タンク２２０などの裏機構枠１６０で発生して表示ユニット１７３に伝わる振動を吸収することができ、当該振動が画像表示に影響することを防止することができる。また、当該第１振動吸収手段３１０により、遊技機１００の搬送時にも、表示ユニット１７３に伝わる振動を防止でき、搬送時に表示ユニット１７３が故障するのを防止することができる。
【００９４】
なお、本実施形態では、第１振動吸収手段３１０は、前記したように表示枠ユニット１７０における表示枠ユニット本体１７２の下部の内部収納空間１８３側に固定されているものであるが、表示ユニット１７３の下部１７３ｂに固定されていても良い。また、本実施形態の第１振動吸収手段３１０は、上下方向の振動を吸収するために、表示ユニット１７３の下部１７３ｂと表示枠ユニット１７０の下部１７０ａとの間の内部収納空間１８３のみに配置されていたが、これに限るものではなく、例えば、表示ユニット１７３の上部と表示枠ユニット１７０の上部との間の内部収納空間１８３にも第１振動吸収手段３１０が配置されていても良い。さらに、左右方向の振動を吸収するために、表示ユニット１７３の左部及び／又は右部と表示枠ユニット１７０の左部及び／又は右部との間の内部収納空間１８３に第１振動吸収手段３１０が配置されていても良い。
【００９５】
さらに、本実施形態では、図１１から１４に示すように、表示枠ユニット１７０に設けられた被スライド部１８にも、振動吸収手段３００が形成されている。
まず、図１１及び１３に示すように、表示枠ユニット１７０の上部に設けられた被スライド部１８には、第２振動吸収手段３２０を備えている。当該第２振動吸収手段３２０は、スライド部１６９を介して表示枠ユニット１７０（表示ユニット１７３）に伝わる振動を吸収するためのものであり、球状部材Ｔの側面に配置される球状部材受け部３２１と弾性部材（本実施形態では、コイルばね）３２２とを有している。
【００９６】
球状部材受け部３２１は、板状の部材を球状部材Ｔの曲面に沿うように湾曲させた形状の部材であり、球状部材Ｔと当接する受け面３２１ａにおける湾曲形状の曲率は、後述する被スライド部１８の球状部材保持部１８ｇと同様の曲率とされている。また、受け面３２１ａの裏面略中央部に、弾性部材３２２に挿入して当該弾性部材３２２を係止する所定高さで略円柱形状の弾性部材装着凸部（ボス）３２１ｂが形成されている。
【００９７】
表示枠ユニット１７０の上部に設けられた当該被スライド部１８は、内部に球状部材Ｔを保持する球状部材保持部１８ｇを有している。当該球状部材保持部１８ｇは、略円筒形状の中空部であり、被スライド部１８の端面（外側に位置する側面）に形成された略方形状の開口部１８ｈ及びカバー部材１８ａに形成された略円形状の開口部１８ｅから球状部材Ｔが所定量突出した状態で球状部材Ｔを保持可能な大きさとなっている。なお、略方形状の開口部１８ｈ及び略円形状の開口部１８ｅの大きさによって、球状部材Ｔの突出量を決定している。また、球状部材Ｔを球状部材保持部１８ｇ内の所定位置に保持するように、球状部材保持部１８ｇの後面側には、板状のストッパ１８ｉが形成されている。
【００９８】
また、球状部材保持部１８ｇの一部、本実施形態では開口部１８ｈと対向する位置に、球状部材保持部１８ｇの曲面より所定量引っ込んだ面を有する段部１８ｊを有している。この段部１８ｊの大きさ及び形状は、球状部材受け部３２１が丁度嵌合して球状部材保持部１８ｇの曲面と球状部材受け部３２１の受け面３２１ａとが面一の状態となるように形成されている。さらに、当該段部１８ｊの奥側（開口部１８ｈと対向する位置）には、弾性部材３２２を収納する弾性部材収納部１８ｋが設けられている。当該弾性部材収納部１８ｋは上下方向の大きさが弾性部材３２２の直径と略等しい略方形状の凹部であり、前面側は開口している。
また、球状部材Ｔや球状部材受け部３２１及び弾性部材３２２等を挿入するために、被スライド部１８の前面側に開口部１８ｌが形成されている。
【００９９】
このような第２振動吸収手段３２０の部材と表示枠ユニット１７０の上部に設けられた被スライド部１８の部材において、弾性部材３２２を球状部材受け部３２１の弾性部材装着凸部３２１ｂに係止させ、その状態の弾性部材３２２を弾性部材収納部１８ｋに挿入すると共に、球状部材受け部３２１を球状部材保持部１８ｇの段部１８ｊに配置する。そして、球状部材受け部３２１の受け面３２１ａに当接するようにして、球状部材Ｔを球状部材保持部１８ｇに挿入する。それから、球状部材Ｔの一部が開口部１８ｈ及び開口部１８ｅから所定量突出した状態で当該球状部材Ｔが保持されるようにして、カバー部材１８ａを取り付ける。その際、弾性部材３２２によって、球状部材受け部３２１を介して球状部材Ｔが開口部１８ｈ及び開口部１８ｅに付勢された状態となる。また、その状態において、弾性部材３２２が完全には収縮しておらず、球状部材受け部３２１の受け面３２１ａが球状部材保持部１８ｇの曲面と面一にならずに所定量浮いている状態となるようにされる。
【０１００】
このような状態とされることにより、スライド部１６９の側面から、被スライド部１８の端面に突出した球状部材Ｔに左右方向の力が加わった（振動が伝わった）ときに、球状部材Ｔに受け面３２１ａで当接する球状部材受け部３２１が当該力を受け、その力を弾性部材３２２が収縮することで力を吸収することができる。
なお、弾性部材収納部１８ｋの深さ（左右方向の長さ）、弾性部材３２２の長さ及び収縮硬さ等は、弾性部材３２２によって球状部材Ｔを開口部１８ｈ及び開口部１８ｅに付勢した状態で、弾性部材３２２が完全には収縮せず、球状部材受け部３２１の受け面３２１ａが球状部材保持部１８ｇの曲面と面一にならずに所定量浮いている状態となるようにされる。
この第２振動吸収手段３２０により、スライド部１６９と接触する球状部材Ｔが受ける裏機構枠１６０からの振動を吸収し、当該振動が表示ユニット１７３に伝わることを防止するようになっている。
なお、弾性部材３２２は、コイルばねに限らず、他のバネ、ゴム、軟性の合成樹脂、液体などを使用しても良い。
【０１０１】
また、図１２及び１４に示すように、表示枠ユニット１７０の下部に設けられた被スライド部１８には、第３振動吸収手段３３０を備えている。当該第３振動吸収手段３３０は、スライド部１６９の側面から表示枠ユニット１７０（表示ユニット１７３）に伝わる振動を吸収するためのものであり、被スライド部１８の側面とカバー部材１８ａの側面との間に配置されており、被スライド部１８の側面に形成された凹部３３２にバネ、ゴム、軟性の合成樹脂、液体などの弾性部材３３１（本実施形態ではゴム）が配置され、当該弾性部材３３１をカバー部材１８ａで押えた状態にて構成されている。
また、本実施形態の弾性部材３３１は、略直方体形状に形成されている。さらに、本実施形態の凹部３３２は、当該弾性部材３３１が、側面側に所定量突出した状態で丁度収納される大きさ、形状となっている。
【０１０２】
このような第３振動吸収手段３３０の部材とカバー部材１８ａにおいて、弾性部材３３１を側面側に所定量突出した状態で凹部３３２に挿入し、カバー部材１８ａを弾性部材３３１の側面に当接するように取り付ける。その際、弾性部材３３１によって、カバー部材１８ａが側面外側に付勢された状態となる。また、その状態において、弾性部材３３１が収縮して被スライド部１８の側面とカバー部材１８ａとが当接しないようにされる。
【０１０３】
このような状態とされることにより、スライド部１６９の側面から、被スライド部１８の端面（外側に位置する側面）に固定されているカバー部材１８ａに左右方向の力が加わった（振動が伝わった）ときに、カバー部材１８ａに当接する弾性部材３３１が収縮することで力を吸収することができる。
なお、凹部３３２の深さ（左右方向の長さ）、弾性部材３２２の突出量及び収縮硬さ（素材等による）等は、カバー部材１８ａを弾性部材３３１を押えた状態で被スライド部１８に取り付けた際に、被スライド部１８の側面とカバー部材１８ａとが当接せず、所定の力（振動）が加わった際に当該力（振動）を吸収可能な状態となるようにされる。
【０１０４】
この第３振動吸収手段３３０により、スライド部１６９と側面で接触するカバー部材１８ａが受ける裏機構枠１６０からの振動を吸収し、当該振動が表示ユニット１７３に伝わることを防止するようになっている。なお、前記したように、第３振動吸収手段３３０は、当該弾性部材３３１を凹部３３２とカバー部材１８ａで挟持しており、側面からカバー部材１８ａが受けた振動を弾性部材３３１が収縮して吸収する構成のため、振動吸収時にカバー部材１８ａが左右にスライド可能となるように、すなわち、ねじ孔１８ｂとねじ止め部１８ｆの位置が多少ずれても良いように、下部の被スライド部１８におけるねじ孔１８ｂは、横長の孔に形成されている。
【０１０５】
さらに、図１２及び１４に示すように、表示枠ユニット１７０の下部に設けられた被スライド部１８には、第４振動吸収手段３４０を備えている。当該第４振動吸収手段３４０は、スライド部１６９の下面から表示枠ユニット１７０（表示ユニット１７３）に伝わる振動を吸収するためのものであり、球状部材Ｔの上面に配置される球状部材受け部３４１と弾性部材（本実施形態では、コイルばね）３４２とを有している。
【０１０６】
球状部材受け部３４１は、板状の部材を球状部材Ｔの曲面に沿うように湾曲させた形状の部材であり、球状部材Ｔと当接する受け面３４１ａにおける湾曲形状の曲率は、後述する被スライド部１８の球状部材保持部１８ｇと同様の曲率とされている。また、受け面３４１ａの裏面略中央部に、弾性部材３４２に挿入して当該弾性部材３４２を係止する所定高さで略円柱形状の弾性部材装着凸部（ボス）３４１ｂが形成されている。
【０１０７】
表示枠ユニット１７０の下部に設けられた当該被スライド部１８は、内部に球状部材Ｔを保持する球状部材保持部１８ｇを有している。当該球状部材保持部１８ｇは、略半円筒形状の中空部であり、被スライド部１８の下面が略方形状の開口部１８ｈとなっている。また、球状部材保持部１８ｇは、開口部１８ｈ及びカバー部材１８ａに形成された略円形状の開口部１８ｅから球状部材Ｔが所定量突出した状態で球状部材Ｔを保持可能な大きさとなっている。なお、略円形状の開口部１８ｅの大きさによって、球状部材Ｔの突出量を決定している。また、球状部材Ｔを球状部材保持部１８ｇ内の所定位置に保持するように、球状部材保持部１８ｇの後面側には、板状のストッパ（図示略）が形成されている。
【０１０８】
また、球状部材保持部１８ｇの一部、本実施形態では開口部１８ｈと対向する位置（上部）に、球状部材保持部１８ｇの曲面より所定量引っ込んだ面を有する段部１８ｊを有している。この段部１８ｊの大きさ及び形状は、球状部材受け部３４１が丁度嵌合して球状部材保持部１８ｇの曲面と球状部材受け部３４１の受け面３４１ａとが面一の状態となるように形成されている。さらに、当該段部１８ｊの上側（開口部１８ｈと対向する位置）には、弾性部材３４２を収納する弾性部材収納部１８ｋが設けられている。当該弾性部材収納部１８ｋは左右方向の大きさが弾性部材３４２の直径と略等しい略方形状の凹部であり、前面側は開口している。
【０１０９】
このような第４振動吸収手段３４０の部材と表示枠ユニット１７０の上部に設けられた被スライド部１８の部材において、弾性部材３４２を球状部材受け部３４１の弾性部材装着凸部３４１ｂに係止させ、その状態の弾性部材３４２を弾性部材収納部１８ｋに挿入すると共に、球状部材受け部３４１を球状部材保持部１８ｇの段部１８ｊに配置する。そして、球状部材受け部３４１の受け面３４１ａに当接するようにして、球状部材Ｔを球状部材保持部１８ｇに挿入する。それから、球状部材Ｔの一部が開口部１８ｅから所定量突出した状態で当該球状部材Ｔが保持されるようにして、カバー部材１８ａを取り付ける。その際、弾性部材３４２によって、球状部材受け部３４１を介して球状部材Ｔが開口部１８ｅに付勢された状態となる。また、その状態において、弾性部材３４２が完全には収縮しておらず、球状部材受け部３４１の受け面３４１ａが球状部材保持部１８ｇの曲面と面一にならずに所定量浮いている状態となるようにされる。
【０１１０】
このような状態とされることにより、スライド部１６９の下面から、被スライド部１８の端面に突出した球状部材Ｔに上下方向の力が加わった（振動が伝わった）ときに、球状部材Ｔに受け面３４１ａで当接する球状部材受け部３４１が当該力を受け、その力を弾性部材３４２が収縮することで力を吸収することができる。
なお、弾性部材収納部１８ｋの深さ（上下方向の長さ）、弾性部材３４２の長さ及び収縮硬さ等は、弾性部材３４２によって球状部材Ｔを開口部１８ｅに付勢した状態で、弾性部材３４２が完全には収縮せず、球状部材受け部３４１の受け面３４１ａが球状部材保持部１８ｇの曲面と面一にならずに所定量浮いている状態となるようにされる。
この第４振動吸収手段３４０により、下方のスライド部１６９と接触する球状部材Ｔが受ける裏機構枠１６０からの振動を吸収し、当該振動が表示ユニット１７３に伝わることを防止するようになっている。
なお、弾性部材３２２は、コイルばねに限らず、他のバネ、ゴム、軟性の合成樹脂、液体などを使用しても良い。
【０１１１】
また、表示ユニットケース１７４の裏面には、表示ユニットケース１７４に収納される液晶表示パネル１７５と、裏機構枠１６０の裏面側に配される演出制御装置３３とを接続する配線を通すための、前後に貫通した図示しない配線用開口が形成されている。この配線用開口は、液晶表示パネル１７５の裏面側に設けられたコネクタ部の位置に対応して形成されており、液晶表示パネル１７５を表示ユニットケース１７４に収納すると、この配線用開口からコネクタ部が露出するようになっている。
【０１１２】
液晶表示パネル１７５は、矩形板状であって表示ユニットケース１７４にちょうど収まる大きさとなっている。この液晶表示パネル１７５は、液晶表示器５５とバックライト５６などから構成され、液晶表示器５５の画像表示面１７１が、前側に臨むように配されている。よって、液晶表示パネル１７５の画像表示面１７１は、表示枠ユニット１７０の前面側から前面クリアカバー１７９を介して視認可能に配されることとなる。
【０１１３】
液晶表示器５５の画像表示面１７１の面積は、前面枠本体１３０に形成された開口部に嵌め込まれた遊技盤１の上側略半分を裏面側から覆うことができる面積となっており、センターケース１１によって形成された表示用窓部１２よりも広いものである。すなわち、画像表示面１７１の面積が、少なくとも表示用窓部１２よりも広く、表示用窓部１２の大きさが変化してもそれに対応できるようになっている。このように、液晶表示器５５の画像表示面１７１が遊技盤１の裏面側を幅広く覆うようにすることで、遊技盤１を交換して遊技機１００の遊技内容を変更する場合に、多種の遊技盤１の表示用窓部１２に対応できるようになっている。
【０１１４】
また、液晶表示器５５は、画像表示面１７１の面積が表示用窓部１２よりも広いので、表示用窓部１２から露出する領域に画像が表示されるように演出制御装置３３によって制御されている。この画像を表示する領域を決定する遊技盤１の表示用窓部１２の大きさや位置に関する情報は、遊技制御装置３０に記憶されているが、遊技制御装置３０は遊技盤１に取り付けられており、遊技盤１と一緒に遊技制御装置３０も交換される。よって、遊技盤１の交換に伴い、例えば、これまでの遊技盤の表示用窓部に対応した画像表示領域から、新たな遊技盤１の表示用窓部１２に対応した画像表示領域に変更できるようになっている。
【０１１５】
以上のことから、裏機構枠１６０から表示ユニット１７３に伝わる振動を吸収する振動吸収手段３００を備えたこととなる。
【０１１６】
ここで、標準サイズの画像表示面１７１を有する表示枠ユニット２７０について図４を参照して説明する。なお、基本的には上述した画像表示面１７１の面積が大きい表示枠ユニット１７０と同様の構成を有しており、以下、異なる部分を中心に説明する。また、説明を簡単にするため、画像表示面１７１の面積が大きい表示枠ユニット１７０と同じ機能を有する部分には同じ符号を付している。
【０１１７】
この表示枠ユニット２７０は、画像表示面１７１の大きさが上述の表示枠ユニット１７０に比べて小さく、より狭い範囲に画像を表示するようになっている。そして、内部収納空間１８３内に、内部収納空間１８３より小さい大きさの表示ユニット１７３が収納され、その前面側が前面クリアカバー１７９によって覆われている。
【０１１８】
また、この表示枠ユニット２７０においては、表示ユニット１７３の大きさが内部収納空間１８３より小さいため、表示ユニット１７３が内部収納空間１８３内で上下左右方向に移動する。このため、上述の表示ユニット１７３に設けられていない、表示ユニット１７３の上下左右位置を調節するための被位置調整部２０，２１が設けられている。また、これに伴い、この表示枠ユニット２７０を用いる場合は、遊技盤１の裏面側に位置調整部材（図示略）を設ける必要がある。
【０１１９】
また、スライド部１６９と被スライド部１８からなるスライド手段において、表示枠ユニット２７０の外側面に設けられている被スライド部１８，１８，…のうち、前面側から見て右上にある被スライド部１８を除いた３つの被スライド部１８，１８，１８は、上述の表示枠ユニット１７０における被スライド部１８，１８，１８と形状は異なるが、互いの上下左右の間隔は同じである。よって、これらの被スライド部１８，１８，１８は、上述の表示枠ユニット１７０の被スライド部１８，１８，１８が案内されていたスライド部１６９，１６９，１６９によって案内されることとなる。
【０１２０】
これに対し、前面側から見て右上にある被スライド部１８は、上述の表示枠ユニット１７０に比べ、下側の位置に形成されており、この被スライド部１８は、図４に示すように表示枠ユニット収納部１６８の前面側から見て右上部の側面であって、上述の表示枠ユニット１７０の被スライド部１８が案内されていたスライド部１６９の下側に形成された、別のスライド部１６９ｂによって案内されるようになっている。これによって、この表示枠ユニット２７０も表示枠ユニット収納部１６８内で前後移動可能に、さらに、付勢手段をなす圧縮コイルばね１８２によって前方側に付勢された状態で配される。
【０１２１】
以上のことから、スライド手段は、裏機構枠１６０の収納空間（表示枠ユニット収納部１６８）の側壁に形成されたスライド部１６９，１６９ｂと、表示ユニット１７３の側部（表示枠ユニット１７０，２７０の側部）に形成された被スライド部１８とにより構成され、裏機構枠１６０は、表示部（画像表示面１７１）の面積が異なる複数種の表示ユニット１７３（表示枠ユニット１７０，２７０）を収納可能に構成されて、該複数種の表示ユニット１７３に対応してスライド部１６９，１６９ｂを複数形成したこととなる。
【０１２２】
以上のように、標準サイズの画像表示面１７１を有する表示枠ユニット２７０に交換可能であることで、遊技盤１に形成された表示用窓部１２の形状が極めて大きく変化した場合でも対応できる。
【０１２３】
次に、標準サイズの画像表示面１７１を有する表示枠ユニット２７０に設けられた被スライド部１８における振動吸収手段３００について説明する。
まず、表示ユニットの下部と表示枠ユニット２７０の下部との間の内部収納空間１８３に設けられる第１振動吸収手段３１０は、図１０に示して上述したものと同じであるので、説明を省略する。
【０１２４】
表示枠ユニット２７０の上部の被スライド部１８に設けられた第２振動吸収手段３２０は、図１５及び１７に示すように、スライド部１６９，１６９ｂを介して表示枠ユニット２７０（表示ユニット１７３）に伝わる振動を吸収するためのものであり、球状部材Ｔの側面に配置される球状部材受け部３２１と弾性部材（本実施形態では、コイルばね）３２２とを有している。
【０１２５】
球状部材受け部３２１は、板状の部材を球状部材Ｔの曲面に沿うように湾曲させた形状の部材であり、球状部材Ｔと当接する受け面３２１ａにおける湾曲形状の曲率は、後述する被スライド部１８の球状部材保持部１８ｇと同様の曲率とされている。また、受け面３２１ａの裏面略中央部に、弾性部材３２２に挿入して当該弾性部材３２２を係止する所定高さで略円柱形状の弾性部材装着凸部（ボス）３２１ｂが形成されている。
【０１２６】
表示枠ユニット２７０の上部に設けられた当該被スライド部１８は、内部に球状部材Ｔを保持する球状部材保持部１８ｇを有している。当該球状部材保持部１８ｇは、略円筒形状の中空部であり、被スライド部１８の端面（外側に位置する側面）に形成された略方形状の開口部１８ｈ及びカバー部材１８ａに形成された略円形状の開口部１８ｅから球状部材Ｔが所定量突出した状態で球状部材Ｔを保持可能な大きさとなっている。なお、略方形状の開口部１８ｈ及び略円形状の開口部１８ｅの大きさによって、球状部材Ｔの突出量を決定している。また、球状部材Ｔを球状部材保持部１８ｇ内の所定位置に保持するように、球状部材保持部１８ｇの後面側には、板状のストッパ１８ｉが形成されている。
【０１２７】
また、球状部材保持部１８ｇの一部、本実施形態では開口部１８ｈと対向する位置に、球状部材保持部１８ｇの曲面より所定量引っ込んだ面を有する段部１８ｊを有している。この段部１８ｊの大きさ及び形状は、球状部材受け部３２１が丁度嵌合して球状部材保持部１８ｇの曲面と球状部材受け部３２１の受け面３２１ａとが面一の状態となるように形成されている。さらに、当該段部１８ｊの奥側（開口部１８ｈと対向する位置）には、弾性部材３２２を収納する弾性部材収納部１８ｋが設けられている。当該弾性部材収納部１８ｋは上下方向の大きさが弾性部材３２２の直径と略等しい略方形状の凹部であり、前面側は開口している。
また、球状部材Ｔや球状部材受け部３２１及び弾性部材３２２等を挿入するために、被スライド部１８の前面側に開口部１８ｌが形成されている。
【０１２８】
このような第２振動吸収手段３２０の部材と表示枠ユニット２７０の上部に設けられた被スライド部１８の部材において、弾性部材３２２を球状部材受け部３２１の弾性部材装着凸部３２１ｂに係止させ、その状態の弾性部材３２２を弾性部材収納部１８ｋに挿入すると共に、球状部材受け部３２１を球状部材保持部１８ｇの段部１８ｊに配置する。そして、球状部材受け部３２１の受け面３２１ａに当接するようにして、球状部材Ｔを球状部材保持部１８ｇに挿入する。それから、球状部材Ｔの一部が開口部１８ｈ及び開口部１８ｅから所定量突出した状態で当該球状部材Ｔが保持されるようにして、カバー部材１８ａを取り付ける。その際、弾性部材３２２によって、球状部材受け部３２１を介して球状部材Ｔが開口部１８ｈ及び開口部１８ｅに付勢された状態となる。また、その状態において、弾性部材３２２が完全には収縮しておらず、球状部材受け部３２１の受け面３２１ａが球状部材保持部１８ｇの曲面と面一にならずに所定量浮いている状態となるようにされる。
【０１２９】
このような状態とされることにより、スライド部１６９の側面から、被スライド部１８の端面に突出した球状部材Ｔに左右方向の力が加わった（振動が伝わった）ときに、球状部材Ｔに受け面３２１ａで当接する球状部材受け部３２１が当該力を受け、その力を弾性部材３２２が収縮することで力を吸収することができる。
なお、弾性部材収納部１８ｋの深さ（左右方向の長さ）、弾性部材３２２の長さ及び収縮硬さ等は、弾性部材３２２によって球状部材Ｔを開口部１８ｈ及び開口部１８ｅに付勢した状態で、弾性部材３２２が完全には収縮せず、球状部材受け部３２１の受け面３２１ａが球状部材保持部１８ｇの曲面と面一にならずに所定量浮いている状態となるようにされる。
この第２振動吸収手段３２０により、スライド部１６９，１６９ｂと接触する球状部材Ｔが受ける裏機構枠１６０からの振動を吸収し、当該振動が表示ユニット１７３に伝わることを防止するようになっている。
なお、弾性部材３２２は、コイルばねに限らず、他のバネ、ゴム、軟性の合成樹脂、液体などを使用しても良い。
【０１３０】
表示枠ユニット２７０の下部の被スライド部１８に設けられた第３振動吸収手段３３０は、図１６及び１８に示すように、スライド部１６９の側面から表示枠ユニット２７０（表示ユニット１７３）に伝わる振動を吸収するためのものであり、被スライド部１８の側面とカバー部材１８ａの側面との間に配置されており、被スライド部１８の側面に形成された凹部３３２にバネ、ゴム、軟性の合成樹脂、液体などの弾性部材３３１（本実施形態ではゴム）が配置され、当該弾性部材３３１を所定量突出するようにカバー部材１８ａで押えた状態にて構成されている。
また、本実施形態の弾性部材３３１は、略直方体形状に形成されている。さらに、本実施形態の凹部３３２は、当該弾性部材３３１が、側面側に所定量突出した状態で丁度収納される大きさ、形状となっている。
【０１３１】
このような第３振動吸収手段３３０の部材とカバー部材１８ａにおいて、弾性部材３３１を側面側に所定量突出した状態で凹部３３２に挿入し、カバー部材１８ａを弾性部材３３１の側面に当接するように取り付ける。その際、弾性部材３３１によって、カバー部材１８ａが側面外側に付勢された状態となる。また、その状態において、弾性部材３３１が収縮して被スライド部１８の側面とカバー部材１８ａとが当接しないようにされる。
【０１３２】
このような状態とされることにより、スライド部１６９の側面から、被スライド部１８の端面（外側に位置する側面）に固定されているカバー部材１８ａに左右方向の力が加わった（振動が伝わった）ときに、カバー部材１８ａに当接する弾性部材３３１が収縮することで力を吸収することができる。
なお、凹部３３２の深さ（左右方向の長さ）、弾性部材３２２の突出量及び収縮硬さ（素材等による）等は、カバー部材１８ａを弾性部材３３１を押えた状態で被スライド部１８に取り付けた際に、被スライド部１８の側面とカバー部材１８ａとが当接せず、所定の力（振動）が加わった際に当該力（振動）を吸収可能な状態となるようにされる。
【０１３３】
この第３振動吸収手段３３０により、スライド部１６９と側面で接触するカバー部材１８ａが受ける裏機構枠１６０からの振動を吸収し、当該振動が表示ユニット１７３に伝わることを防止するようになっている。なお、前記したように、第３振動吸収手段３３０は、当該弾性部材３３１を凹部３３２とカバー部材１８ａで挟持しており、側面からカバー部材１８ａが受けた振動を弾性部材３３１が収縮して吸収する構成のため、振動吸収時にカバー部材１８ａが左右にスライド可能となるように、すなわち、ねじ孔１８ｂとねじ止め部１８ｆの位置が多少ずれても良いように、下部の被スライド部１８におけるねじ孔１８ｂは、横長の孔に形成されている。
【０１３４】
表示枠ユニット２７０の下部の被スライド部１８に設けられた第４振動吸収手段３４０は、図１６及び１８に示すように、スライド部１６９の下面から表示枠ユニット２７０（表示ユニット１７３）に伝わる振動を吸収するためのものであり、球状部材Ｔの上面に配置される球状部材受け部３４１と弾性部材（本実施形態では、コイルばね）３４２とを有している。
【０１３５】
球状部材受け部３４１は、板状の部材を球状部材Ｔの曲面に沿うように湾曲させた形状の部材であり、球状部材Ｔと当接する受け面３４１ａにおける湾曲形状の曲率は、後述する被スライド部１８の球状部材保持部１８ｇと同様の曲率とされている。また、受け面３４１ａの裏面略中央部に、弾性部材３４２に挿入して当該弾性部材３４２を係止する所定高さで略円柱形状の弾性部材装着凸部（ボス）３４１ｂが形成されている。
【０１３６】
表示枠ユニット２７０の下部に設けられた当該被スライド部１８は、内部に球状部材Ｔを保持する球状部材保持部１８ｇを有している。当該球状部材保持部１８ｇは、略半円筒形状の中空部であり、被スライド部１８の下面が略方形状の開口部１８ｈとなっている。また、球状部材保持部１８ｇは、開口部１８ｈ及びカバー部材１８ａに形成された略円形状の開口部１８ｅから球状部材Ｔが所定量突出した状態で球状部材Ｔを保持可能な大きさとなっている。なお、略円形状の開口部１８ｅの大きさによって、球状部材Ｔの突出量を決定している。また、球状部材Ｔを球状部材保持部１８ｇ内の所定位置に保持するように、球状部材保持部１８ｇの後面側には、板状のストッパ（図示略）が形成されている。
【０１３７】
また、球状部材保持部１８ｇの一部、本実施形態では開口部１８ｈと対向する位置（上部）に、球状部材保持部１８ｇの曲面より所定量引っ込んだ面を有する段部１８ｊを有している。この段部１８ｊの大きさ及び形状は、球状部材受け部３４１が丁度嵌合して球状部材保持部１８ｇの曲面と球状部材受け部３４１の受け面３４１ａとが面一の状態となるように形成されている。さらに、当該段部１８ｊの上側（開口部１８ｈと対向する位置）には、弾性部材３４２を収納する弾性部材収納部１８ｋが設けられている。当該弾性部材収納部１８ｋは左右方向の大きさが弾性部材３４２の直径と略等しい略方形状の凹部であり、前面側は開口している。
【０１３８】
このような第４振動吸収手段３４０の部材と表示枠ユニット２７０の上部に設けられた被スライド部１８の部材において、弾性部材３４２を球状部材受け部３４１の弾性部材装着凸部３４１ｂに係止させ、その状態の弾性部材３４２を弾性部材収納部１８ｋに挿入すると共に、球状部材受け部３４１を球状部材保持部１８ｇの段部１８ｊに配置する。そして、球状部材受け部３４１の受け面３４１ａに当接するようにして、球状部材Ｔを球状部材保持部１８ｇに挿入する。それから、球状部材Ｔの一部が開口部１８ｅから所定量突出した状態で当該球状部材Ｔが保持されるようにして、カバー部材１８ａを取り付ける。その際、弾性部材３４２によって、球状部材受け部３４１を介して球状部材Ｔが開口部１８ｅに付勢された状態となる。また、その状態において、弾性部材３４２が完全には収縮しておらず、球状部材受け部３４１の受け面３４１ａが球状部材保持部１８ｇの曲面と面一にならずに所定量浮いている状態となるようにされる。
【０１３９】
このような状態とされることにより、スライド部１６９の下面から、被スライド部１８の端面に突出した球状部材Ｔに上下方向の力が加わった（振動が伝わった）ときに、球状部材Ｔに受け面３４１ａで当接する球状部材受け部３４１が当該力を受け、その力を弾性部材３４２が収縮することで力を吸収することができる。
なお、弾性部材収納部１８ｋの深さ（上下方向の長さ）、弾性部材３４２の長さ及び収縮硬さ等は、弾性部材３４２によって球状部材Ｔを開口部１８ｅに付勢した状態で、弾性部材３４２が完全には収縮せず、球状部材受け部３４１の受け面３４１ａが球状部材保持部１８ｇの曲面と面一にならずに所定量浮いている状態となるようにされる。
この第４振動吸収手段３４０により、下方のスライド部１６９と接触する球状部材Ｔが受ける裏機構枠１６０からの振動を吸収し、当該振動が表示ユニット１７３に伝わることを防止するようになっている。
なお、弾性部材３２２は、コイルばねに限らず、他のバネ、ゴム、軟性の合成樹脂、液体などを使用しても良い。
【０１４０】
なお、表示枠ユニット２７０の場合には、表示ユニット１７３が遊技盤１の位置調整部材（図示略）により内部収納空間１８３内で支持されたような状態になっていることから、裏機構枠１６０から表示枠ユニット２７０に振動が伝わっても、表示ユニット１７３が表示枠ユニット２７０の内部収納空間１８３の側壁に直接接触することを避けることが可能であるので、振動吸収手段３００を設けなくても良い。しかし、前記したように表示枠ユニット１７０と同様の第２振動吸収手段３２０や第３振動吸収手段３３０、第４振動吸収手段３４０を設けるようにすれば、表示枠ユニット２７０自体に振動が伝わることを防止できるので、さらに確実な振動防止対策とすることができる。また、前記したように表示枠ユニット１７０と同様の第１振動吸収手段３１０を設けるようにすれば、表示ユニット１７３に振動が伝わることをさらに確実に防止することができる。
【０１４１】
以上のような遊技機１００は、遊技領域を形成する遊技盤１を前面枠１２０に対して着脱可能に配設し、該遊技盤１に形成された表示領域（表示用窓部１２）において遊技に関わる表示ゲームを表示するようにした遊技機１００であって、前面枠１２０の裏面側に、遊技媒体を排出するための排出装置２０１を設けた裏機構枠１６０を配設し、裏機構枠１６０は、表示ゲームを表示するための表示ユニット１７３を、その表示面１７１を遊技盤１の表示領域に臨ませた状態で配設し、裏機構枠１６０から表示ユニット１７３に伝わる振動を吸収する振動吸収手段３００を備えている。
【０１４２】
したがって、前面枠１２０の裏面側に、遊技媒体を排出するための排出装置２０１を設けた裏機構枠１６０を配設し、裏機構枠１６０は、表示ゲームを表示するための表示ユニット１７３を、その表示面１７１を遊技盤１の表示領域に臨ませた状態で配設したので、表示ユニット１７３が遊技盤１ではなく前面枠１２０側に設けられることとなり、遊技盤１を交換する場合でも、表示ユニット１７３は交換する必要がないので、表示ユニット１７３を新たな遊技盤１でも使用できるといった効果を奏する。また、遊技機１００の入れ替え時に遊技機全体を交換する場合でも、表示ユニット１７３は遊技盤１と別構成であるので、表示ユニットを簡単に取り外せることから、表示ユニット１７３を再利用する際にも効果的である。
【０１４３】
また、裏機構枠１６０から表示ユニット１７３に伝わる振動を吸収する振動吸収手段３００を備えたので、排出装置２０１で発生した振動が表示ユニット１７３に伝わることを防止でき、この振動が画像表示に影響することを防止できる。また、遊技機１００の搬送時にも、表示ユニット１７３に伝わる振動を防止でき、搬送時に表示ユニット１７３が故障するのを防止できる。
【０１４４】
また、裏機構枠１６０は、後方側に膨出状に形成されて表示ユニット１７３を収納するための前面開口状の収納部（表示枠ユニット収納部１６８）を形成し、収納部には、遊技盤１の後方突出量に応じて表示ユニット１７３が前後動可能なスライド部１６９，１６９ｂを形成し、スライド部１６９，１６９ｂに当接して当該表示ユニット１７３をスライドさせるための被スライド部１８に振動吸収手段３００を設けている。
【０１４５】
したがって、裏機構枠１６０は、後方側に膨出状に形成されて表示ユニット１７３を収納するための前面開口状の収納部を形成し、収納部には、遊技盤１の後方突出量に応じて表示ユニット１７３が前後動可能なスライド部１６９，１６９ｂを形成したので、交換する遊技盤１の種類により、遊技盤１の後方突出量は様々に変化することとなるが、その突出量に応じて表示ユニット１７３が前後動することとなるため、遊技盤１の交換時に何ら問題なく遊技盤１を装着できるし、遊技盤１の後方適正位置に表示ユニット１７３を配置することができる。
【０１４６】
また、表示ユニット１７３を前後動可能にする関係上、表示ユニット１７３を強固に固定できないことから、振動の影響を受ける可能性が高くなるが、スライド部１６９，１６９ｂに当接して当該表示ユニット１７３をスライドさせるための被スライド部１８に振動吸収手段３００を設けたので、振動が表示ユニット１７３に伝わることを防止でき、この振動が画像表示に影響することを防止できる。
【０１４７】
また、被スライド部１８は、球状部材Ｔを回転可能に設けて、スライド部１６９，１６９ｂとの接触を該球状部材Ｔにより行うように構成し、球状部材Ｔを振動吸収手段３００で支持することで振動を吸収するようにしている。
【０１４８】
したがって、被スライド部１８は、球状部材Ｔを回転可能に設けて、スライド部１６９，１６９ｂとの接触を該球状部材Ｔにより行うように構成し、球状部材Ｔを振動吸収手段３００で支持することで振動を吸収するようにしたので、球状部材Ｔによりスムーズに表示ユニット１７３をスライドさせることがでる上、振動も効率よく吸収することができる。
【０１４９】
また、表示ユニット１７３を収納する内部収納空間１８３を有する表示枠ユニット１７０，２７０を設けて、該表示枠ユニット１７０，２７０を介して該表示ユニット１７３を裏機構枠１６０に配設するように構成し、表示ユニット１７３が内部収納空間１８３内で当接する部位に振動吸収手段３００を設けている。
【０１５０】
したがって、表示ユニット１７３を収納する内部収納空間１８３を有する表示枠ユニット１７０，２７０を設けて、該表示枠ユニット１７０，２７０を介して該表示ユニット１７３を裏機構枠１６０に配設するように構成し、表示ユニット１７３が内部収納空間１８３内で当接する部位に振動吸収手段３００を設けたので、表示枠ユニット１７０，２７０を設けることにより、表示ユニット１７３を確実に裏機構枠１６０に配設することができる。また、遊技盤１の表示領域（表示用窓部１２）に対応して、表示ユニット１７３の左右或いは上下の位置調整等が可能な構成とすることもでき、表示ユニット１７３が固定されていない場合でも振動が伝達することを防止できる。
【０１５１】
また、裏機構枠１６０の上部には、島設備から供給される遊技球を貯留する貯留タンク２２１が配設され、排出装置２０１は、貯留タンク２２１の側部に設けられて当該貯留タンク２２１と一体的に構成されている。
【０１５２】
したがって、裏機構枠１６０の上部には、島設備から供給される遊技球を貯留する貯留タンク２２１が配設され、排出装置２０１は、貯留タンク２２１の側部に設けられて当該貯留タンク２２１と一体的に構成されているので、貯留タンク２２１、排出装置２０１とともに表示ユニット１７３を前面枠１２０の裏面に効率よく配設することができ、表示ユニット１７３が大型化した場合でも前面枠１２０裏面の配置スペース的な問題を解消することができる。
特に、排出装置２０１を貯留タンク２２１に一体化することで、排出装置２０１（従来は一側部に配設していたもの）を裏機構枠１６０の上部に配設することが可能となり、裏機構枠１６０の一側部には遊技球流路分の幅のみ確保できればよいので、その分表示ユニット１７３の配置領域を確保することができる。
【０１５３】
なお、本発明の遊技機は、遊技機として、前記実施の形態に示されるようなパチンコ遊技機に限られるものではなく、例えば、その他のパチンコ遊技機、アレンジボール遊技機、雀球遊技機、パチスロ遊技機（回胴式遊技機）などの表示装置を使用する全ての遊技機に適用可能である。
【０１５４】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１５５】
【図１】本発明を適用した実施形態にかかる遊技機の裏面側を示す斜視図である。
【図２】図１の状態から裏機構枠を開放した前面枠の裏面側を示す斜視図である。
【図３】遊技盤の裏面側を示す斜視図である。
【図４】裏機構枠と画像表示面の面積の異なる２種類の表示ユニットの前面側を示す斜視図である。
【図５】裏機構枠の裏面側を示す斜視図である。
【図６】裏機構枠の裏面側を示す分解斜視図である。
【図７】裏機構枠の前面側を示す分解斜視図である。
【図８】表示枠ユニットの前面側を示す図であって、前面クリアカバーを外した状態を示す斜視図である。
【図９】遊技機の制御系の一部を示すブロック図である。
【図１０】振動吸収手段を示す斜視図である。
【図１１】表示枠ユニット１７０の上部に設けられた被スライド部及び振動吸収手段を示す斜視図である。
【図１２】表示枠ユニット１７０の下部に設けられた被スライド部及び振動吸収手段を示す斜視図である。
【図１３】表示枠ユニット１７０の上部に設けられた被スライド部及び振動吸収手段を示す断面図である。
【図１４】表示枠ユニット１７０の下部に設けられた被スライド部及び振動吸収手段を示す断面図である。
【図１５】表示枠ユニット２７０の上部に設けられた被スライド部及び振動吸収手段を示す斜視図である。
【図１６】表示枠ユニット２７０の下部に設けられた被スライド部及び振動吸収手段を示す斜視図である。
【図１７】表示枠ユニット２７０の上部に設けられた被スライド部及び振動吸収手段を示す断面図である。
【図１８】表示枠ユニット２７０の下部に設けられた被スライド部及び振動吸収手段を示す断面図である。
【符号の説明】
【０１５６】
１        遊技盤
１１      センターケース
１２      表示用窓部（表示領域）
１６      後端部
１８      被スライド部
１００    遊技機
１１０    機枠
１２０    前面枠
１３０    前面枠本体
１６０    裏機構枠
１６８    表示枠ユニット収納部（収納部）
１６９    スライド部
１６９ｂ  スライド部
１７０    表示枠ユニット
１７１    画像表示面（表示面）
１７３    表示ユニット
１８３    内部収納空間
２００    タンク排出装置
２０１    排出装置
２２０    貯留タンク
２４０    シュート（遊技球流路）
２７０    表示枠ユニット
３００    振動吸収手段
３１０    第１振動吸収手段
３２０    第２振動吸収手段
３３０    第３振動吸収手段
３４０    第４振動吸収手段
Ｔ        球状部材
【図１】
2007082671.tif 000003
【図２】
2007082671.tif 000004
【図３】
2007082671.tif 000005
【図４】
2007082671.tif 000006
【図５】
2007082671.tif 000007
【図６】
2007082671.tif 000008
【図７】
2007082671.tif 000009
【図８】
2007082671.tif 000010
【図９】
2007082671.tif 000011
【図１０】
2007082671.tif 000012
【図１１】
2007082671.tif 000013
【図１２】
2007082671.tif 000014
【図１３】
2007082671.tif 000015
【図１４】
2007082671.tif 000016
【図１５】
2007082671.tif 000017
【図１６】
2007082671.tif 000018
【図１７】
2007082671.tif 000019
【図１８】
2007082671.tif 000020